(57)【特許請求の範囲】
【請求項１】
入力された動画像データに基づいて動画像を表示する表示部と、
ユーザ操作を受け付ける受付部と、
輝度が第１閾値よりも高い画像領域を含む動画像の再生時に、当該画像領域の表示時間を増加させる特定の再生操作を前記受付部が受け付けた場合、前記表示部の表示輝度を低減する制御手段と、
を有する
ことを特徴とする画像表示装置。
【請求項２】
前記特定の再生操作が行われたか否かを判断する判断手段、をさらに有し、
前記制御手段は、前記判断手段の判断結果に基づいて、前記表示部の表示輝度を低減する
ことを特徴とする請求項１に記載の画像表示装置。
【請求項３】
前記特定の再生操作は、
輝度が前記第１閾値よりも高い画像領域を含むフレームの表示時に行われる、前記動画像の再生を一時的に停止する第１の一時停止操作、又は、
輝度が前記第１閾値よりも高く、且つ、サイズが第２閾値よりも大きい画像領域を含むフレームの表示時に行われる、前記動画像の再生を一時的に停止する第２の一時停止操作、
を含む
ことを特徴とする請求項１又は２に記載の画像表示装置。
【請求項４】
前記特定の再生操作は、
輝度が前記第１閾値よりも高い画像領域を含む動画像が表示されるように、前記動画像データの画像サイズを変更する第１のスケーリング操作、又は、
輝度が前記第１閾値よりも高く、且つ、サイズが第２閾値よりも大きい画像領域を含む動画像が表示されるように、前記動画像データの画像サイズを変更する第２のスケーリング操作、
を含む
ことを特徴とする請求項１又は２に記載の画像表示装置。
【請求項５】
前記特定の再生操作は、前記動画像データの再生速度を低減するスロー再生操作を含むことを特徴とする請求項１又は２に記載の画像表示装置。
【請求項６】
前記制御手段は、前記第１の一時停止操作が行われた場合、輝度が前記第１閾値よりも高い画像領域を含まないフレームに、表示対象のフレームを切り替える
ことを特徴とする請求項３に記載の画像表示装置。
【請求項７】
前記制御手段は、前記第２の一時停止操作が行われた場合、輝度が前記第１閾値よりも高く、且つ、サイズが前記第２閾値よりも大きい画像領域を含まないフレームに、表示対象のフレームを切り替える
ことを特徴とする請求項３に記載の画像表示装置。
【請求項８】
前記制御手段は、前記第１の一時停止操作に応じた再生方法での再生を解除するユーザ操作が行われた場合に、輝度が前記第１閾値よりも高い画像領域を含まないフレームから表示されるように、表示対象のフレームを切り替える
ことを特徴とする請求項３に記載の画像表示装置。
【請求項９】
前記制御手段は、前記第２の一時停止操作に応じた再生方法での再生を解除するユーザ操作が行われた場合に、輝度が前記第１閾値よりも高く、且つ、サイズが前記第２閾値よりも大きい画像領域を含まないフレームから表示されるように、表示対象のフレームを切り替える
ことを特徴とする請求項３に記載の画像表示装置。
【請求項１０】
前記表示部は、発光部と、発光部から発せられた光を変調することで動画像を表示する表示パネルと、を有し、
前記制御手段は、前記発光部の発光輝度を低減する処理により、前記表示部の表示輝度を低減する
ことを特徴とする請求項１〜９のいずれか１項に記載の画像表示装置。
【請求項１１】
前記発光輝度の取り得る値の範囲は、第１の輝度範囲と、前記第１の輝度範囲よりも前記発光輝度の最大値が高い第２の輝度範囲と、の間で変更可能であり、
前記発光輝度を低減する前記処理は、前記発光輝度の取り得る値の範囲を前記第２の輝度範囲から前記第１の輝度範囲に変更する処理である
ことを特徴とする請求項１０に記載の画像表示装置。
【請求項１２】
前記制御手段は、前記動画像データの階調値を低減する処理により、前記表示部の表示輝度を低減する
ことを特徴とする請求項１〜９のいずれか１項に記載の画像表示装置。
【請求項１３】
階調値の取り得る値の範囲が第１の階調範囲である第１動画像データを取得する第１取得手段と、
階調値の取り得る値の範囲が、前記第１の階調範囲よりも階調値の最大値が大きい第２の階調範囲である第２動画像データと、前記第１動画像データとの差分に関する差分データを取得する第２取得手段と、
前記第１動画像データと前記差分データに基づいて、前記第２動画像データを生成する生成手段と、
をさらに有し、
前記動画像データの階調値を低減する前記処理は、前記動画像データを前記第２動画像
データから前記第１動画像データに変更する処理である
ことを特徴とする請求項１２に記載の画像表示装置。
【請求項１４】
前記動画像データの輝度に関する輝度データを取得する第３取得手段、をさらに有し、
前記判断手段は、前記ユーザ操作と前記輝度データとに基づいて、前記特定の再生操作が行われたか否かを判断する
ことを特徴とする請求項２に記載の画像表示装置。
【請求項１５】
前記動画像データは、前記第１閾値よりも高い輝度での表示を実現可能な画像表示装置での再生を想定した高輝度ＨＤＲ（Ｈｉｇｈ  Ｄｙｎａｍｉｃ  Ｒａｎｇｅ）画像データである
ことを特徴とする請求項１〜１４のいずれか１項に記載の画像表示装置。
【請求項１６】
動画像データを表示装置へ出力する出力部と、
ユーザ操作を受け付ける受付部と、
輝度が第１閾値よりも高い画像領域を含む動画像の再生時に、当該画像領域の表示時間を増加させる特定の再生操作を前記受付部が受け付けた場合、前記出力部による出力を制御することにより、前記表示装置の表示輝度を低減する制御手段と、
を有する
ことを特徴とする画像出力装置。
【請求項１７】
前記表示装置は、発光部と、前記発光部から発せられた光を変調することで動画像を表示する表示パネルと、を有し、
前記制御手段は、前記発光部の発光輝度が低減されるように前記出力を制御することにより、前記表示装置の表示輝度を低減する
ことを特徴とする請求項１６に記載の画像出力装置。
【請求項１８】
前記制御手段は、前記動画像データの階調値が低減されるように前記出力を制御することにより、前記表示装置の表示輝度を低減する
ことを特徴とする請求項１６に記載の画像出力装置。
【請求項１９】
入力された動画像データに基づいて動画像を表示する表示部を有する画像表示装置の制御方法であって、
ユーザ操作を受け付ける受付ステップと、
輝度が第１閾値よりも高い画像領域を含む動画像の再生時に、当該画像領域の表示時間を増加させる特定の再生操作を前記受付ステップで受け付けた場合、前記表示部の表示輝度を低減する制御ステップと、
を有する
ことを特徴とする制御方法。
【請求項２０】
動画像データを表示装置へ出力する出力部を有する画像出力装置の制御方法であって、
ユーザ操作を受け付ける受付ステップと、
輝度が第１閾値よりも高い画像領域を含む動画像の再生時に、当該画像領域の表示時間を増加させる特定の再生操作を前記受付ステップで受け付けた場合、前記出力部による出力を制御することにより、前記表示装置の表示輝度を低減する制御ステップと、
を有する
ことを特徴とする制御方法。
【請求項２１】
請求項１９又は２０に記載の制御方法の各ステップをコンピュータに実行させるためのプログラム。
【発明の詳細な説明】
【技術分野】
【０００１】
本発明は、画像表示装置、画像出力装置、及び、それらの制御方法に関する。
【背景技術】
【０００２】
近年、撮像センサの性能の向上、画像処理に関する技術の進歩、等に伴い、ＨＤＲ（Ｈｉｇｈ  Ｄｙｎａｍｉｃ  Ｒａｎｇｅ）画像データが普及し始めている。ＨＤＲ画像データは、色深度が８ビットより大きい画像データである。ＨＤＲ画像データは、「画像データの階調値の取り得る値の範囲が広い画像データ」とも言える。ＨＤＲ画像データは、例えば、互いに異なる複数の露出でそれぞれ得られた複数の画像データを合成することによって生成される。
【０００３】
画像表示装置の性能の向上に伴い、高輝度な表示を実現する技術が提案され始めている。例えば、液晶表示装置のバックライト部の光源として使用されるＬＥＤ（Ｌｉｇｈｔ  Ｅｍｉｔｔｉｎｇ  Ｄｉｏｄｅ）の性能の向上に伴い、バックライト部の発光輝度を制御することで高輝度な表示を実現する技術が提案され始めている。
【０００４】
画像制作者は、例えば、高輝度な表示を実現可能な画像表示装置（画像再生装置）での再生を想定したＨＤＲ画像データを作成する際に、画面上において小面積の白色画像が際立つように、ＨＤＲ画像データを作成する。具体的には、画像制作者は、画面上において小面積の白色画像が際立つように、フレーム間の輝度の変化、シーン間の輝度の変化、各フレームの最大輝度、各シーンの最大輝度、等を決定する。
【０００５】
そして、今後は、高輝度な表示を実現可能な画像表示装置での再生を想定したＨＤＲ画像データの普及が見込まれている。以後、高輝度な表示を実現可能な画像表示装置での再生を想定したＨＤＲ画像データを、他のＨＤＲ画像データと区別して、「高輝度ＨＤＲ画像データ」と記載する。
【０００６】
このような高輝度ＨＤＲ画像データは、例えば、ネットワークを用いて配信される。また、画像出力装置で高輝度ＨＤＲ画像データが生成され、画像出力装置からネットワークを介さずに画像表示装置に高輝度ＨＤＲ画像データが伝送されることも考えられる。画像出力装置としては、撮像によって高輝度ＨＤＲ画像データを生成する撮像装置、高輝度ＨＤＲ画像データを受信して出力するセットトップボックス、等が使用され得る。また、複数の画像表示装置が互いにデイジーチェーン接続され、画像表示装置から他の画像表示装置へ高輝度ＨＤＲ画像データが出力されることも考えられる。そのため、画像出力装置として画像表示装置が使用され得る。
【０００７】
高輝度ＨＤＲ画像データの伝送方法として、２つのストリームを伝送する方法が提案されている。２つのストリームの一方であるメインストリームには、ＬＤＲ（Ｌｏｗ  Ｄｙｎａｍｉｃ  Ｒａｎｇｅ）画像データが格納されている。ＬＤＲ画像データは、例えば、色深度が８ビットの画像データである。ＬＤＲ画像（ＬＤＲ画像データが表す画像）は、一般的に、ＨＤＲ画像データや高輝度ＨＤＲ画像データが表す画像を再生不可能な画像表示装置でも再生可能である。２つのストリームの他方であるサブストリームには、差分データやメタデータが格納されている。差分データは、ＨＤＲ画像データとＬＤＲ画像データの差分に関するデータである。メタデータには、高輝度ＨＤＲ画像（高輝度ＨＤＲ画像データが表す画像）の輝度に関する輝度データが格納されている。例えば、輝度データは、フレーム間の輝度の変化、シーン間の輝度の変化、各フレームの最大輝度、各シーンの
最大輝度、等を含む。
【０００８】
画像表示装置や画像出力装置は、様々なユーザ操作を受け付けることができる。例えば、ユーザ操作として、画像の再生方法に関するユーザ操作である再生操作が行われることがある。再生操作は、再生対象のフレームの更新を一時的に停止する一時停止操作、画像の再生速度を低減するスロー再生操作、等を含む。
【０００９】
ここで、輝度が高い高輝度ＨＤＲ画像が再生（表示）されたタイミングで一時停止操作やスロー再生操作が行われた場合を考える。この場合、５０００［ｃｄ／ｍ２］といった高い輝度での表示が長時間行われることがある。高輝度且つ長時間の表示は、様々な視覚障害をもたらすため、ユーザによる画像の視認において好ましくない。
【００１０】
画像表示装置に関する従来技術は、例えば、特許文献１，２に開示されている。特許文献１，２には、インパルス発光方式のプラズマディスプレイ等における焼き付きを防止する技術が開示されている。具体的には、特許文献１に開示の画像表示装置では、表示部の表示状態が静止画表示状態であるか否かが判断される。そして、表示状態が静止画表示状態であると判断された場合に、所定の輝度レベル以上の輝度レベルを有する画素が特定のパターンに置換される。特許文献２に開示の技術では、制御装置が、画像出力装置の動作状態を判断し、所定時間以上継続して動作状態が一時停止状態であると判断した場合に、一時停止状態の解除を画像出力装置に指示する。
【先行技術文献】
【特許文献】
【００１１】
【特許文献１】特開２０１１−２５７４６９号公報
【特許文献２】特開２００９−１０９７３１号公報
【発明の概要】
【発明が解決しようとする課題】
【００１２】
しかしながら、上述した従来技術では、再生画像（再生（表示）された画像）の静止状態しか検出できない。即ち、一時停止操作以外の再生操作が行われた後の再生画像の状態を検出することはできない。そのため、上述した従来技術を用いたとしても、ユーザによる画像の視認において好ましくない画像（視覚障害をもたらす画像、等）の再生を抑制することはできない。
【００１３】
本発明は、種々の再生操作が行われた場合に好適な画像をより確実に再生することができる技術を提供することを目的とする。
【課題を解決するための手段】
【００１４】
本発明の第１の態様は、
入力された動画像データに基づいて動画像を表示する表示部と、
ユーザ操作を受け付ける受付部と、
輝度が第１閾値よりも高い画像領域を含む動画像の再生時に、当該画像領域の表示時間を増加させる特定の再生操作を前記受付部が受け付けた場合、前記表示部の表示輝度を低減する制御手段と、
を有する
ことを特徴とする画像表示装置である。
【００１５】
本発明の第２の態様は、
動画像データを表示装置へ出力する出力部と、
ユーザ操作を受け付ける受付部と、
輝度が第１閾値よりも高い画像領域を含む動画像の再生時に、当該画像領域の表示時間を増加させる特定の再生操作を前記受付部が受け付けた場合、前記出力部による出力を制御することにより、前記表示装置の表示輝度を低減する制御手段と、
を有する
ことを特徴とする画像出力装置である。
【００１６】
本発明の第３の態様は、
入力された動画像データに基づいて動画像を表示する表示部を有する画像表示装置の制御方法であって、
ユーザ操作を受け付ける受付ステップと、
輝度が第１閾値よりも高い画像領域を含む動画像の再生時に、当該画像領域の表示時間を増加させる特定の再生操作を前記受付ステップで受け付けた場合、前記表示部の表示輝度を低減する制御ステップと、
を有する
ことを特徴とする制御方法である。
【００１７】
本発明の第４の態様は、
動画像データを表示装置へ出力する出力部を有する画像出力装置の制御方法であって、
ユーザ操作を受け付ける受付ステップと、
輝度が第１閾値よりも高い画像領域を含む動画像の再生時に、当該画像領域の表示時間を増加させる特定の再生操作を前記受付ステップで受け付けた場合、前記出力部による出力を制御することにより、前記表示装置の表示輝度を低減する制御ステップと、
を有する
ことを特徴とする制御方法である。
【００１８】
本発明の第５の態様は、上述した制御方法の各ステップをコンピュータに実行させることを特徴とするプログラムである。
【発明の効果】
【００１９】
本発明によれば、種々の再生操作が行われた場合に好適な画像をより確実に再生することができる。
【図面の簡単な説明】
【００２０】
【図１】実施例１に係る画像表示装置の機能構成の一例を示すブロック図
【図２】実施例１に係る高輝度ＨＤＲ画像データの一例を示す図
【図３】実施例１に係る最大輝度とＢＬ輝度の対応関係の一例を示す図
【図４】実施例１に係るバックライト部の構成の一例を示す図
【図５】実施例１に係る発光輝度の制御範囲の一例を示す図
【図６】実施例１に係る画像表示装置の動作全体の一例を示すフローチャート
【図７】実施例１に係る再生操作処理の一例を示すフローチャート
【図８】実施例１に係る再開処理の一例を示すフローチャート
【図９】実施例１に係る第２閾値の一例を示す図
【図１０】実施例１に係るＢＬ輝度補正値の一例を示す図
【図１１】実施例１に係る再開処理の具体例を示す図
【図１２】実施例２に係る画像表示装置の機能構成の一例を示すブロック図
【図１３】実施例２に係る制御情報の一例を示す図
【図１４】実施例２に係る再生操作処理の一例を示すフローチャート
【図１５】実施例２に係る再開処理の一例を示すフローチャート
【図１６】実施例３に係る画像表示システムの一例を示す図
【図１７】実施例３に係る撮像装置の機能構成の一例を示すブロック図
【図１８】実施例３に係る撮像装置の動作の一例を示すフローチャート
【図１９】実施例３に係るＨＤＲ画像と輝度の対応関係の一例を示す図
【図２０】実施例３に係る撮像装置の出力データの一例を示す図
【図２１】実施例３に係るＳＤＩデータのデータ構造の一例を示す図
【図２２】実施例３に係る第１閾値の一例を示す図
【図２３】実施例３に係る再開処理の具体例を示す図
【図２４】実施例３に係る第２閾値の一例を示す図
【図２５】実施例３に係る輝度補正値の一例を示す図
【図２６】実施例４に係る画像表示システムの一例を示す図
【図２７】実施例４に係るＳＴＢの機能構成の一例を示すブロック図
【図２８】実施例４に係るＳＴＢの動作の一例を示すフローチャート
【発明を実施するための形態】
【００２１】
＜実施例１＞
以下、本発明の実施例１に係る画像再生装置及び画像再生方法について説明する。本実施例では、画像再生装置が透過型の液晶表示装置である場合の例を説明する。透過型の液晶表示装置は、発光部であるバックライト部と、バックライト部から発せられた光を変調することで画像を表示する表示部である液晶パネルと、を有する。但し、本発明が適用可能な画像表示装置は透過型の液晶表示装置に限らない。例えば、反射型の液晶表示装置、液晶素子の代わりにＭＥＭＳ（Ｍｉｃｒｏ  Ｅｌｅｃｔｒｏ  Ｍｅｃｈａｎｉｃａｌ  Ｓｙｓｔｅｍ）シャッターを用いたＭＥＭＳシャッター方式表示装置、等に本発明を適用することもできる。有機ＥＬ表示装置、プラズマ表示装置、等の自発光型の画像表示装置に本発明を適用することもできる。プロジェクターに本発明を適用することもできる。
【００２２】
図１は、本実施例に係る画像表示装置（画像再生装置）１００の機能構成の一例を示すブロック図である。画像表示装置１００は、高輝度ＨＤＲ画像データが表す画像である高輝度ＨＤＲ画像を再生可能な装置である。高輝度ＨＤＲ画像データは、高輝度な画像領域、高輝度なフレーム、高輝度なシーン、等を含むＨＤＲ画像データである。ＨＤＲ画像データは、例えば、色深度が８ビットより大きい画像データである。本実施例では、ＨＤＲ画像データは、色深度が１２ビットの画像データである。以下の記載において、「ＨＤＲ画像データ」は、高輝度ＨＤＲ画像データでないＨＤＲ画像データを意味する。
【００２３】
画像表示装置１００は、高輝度ＨＤＲ画像データを取得（受信）し、取得した高輝度ＨＤＲ画像データに基づく画像を再生（表示）する。高輝度ＨＤＲ画像データの取得方法は特に限定されない。本実施例では、ネットワークを用いて高輝度ＨＤＲ画像データが配信されており、ＬＡＮ端子等を介して高輝度ＨＤＲ画像データが取得される。高輝度ＨＤＲ画像データの伝送方法（配信方法）も特に限定されない。本実施例では、高輝度ＨＤＲ画像データとして、２つのストリームが伝送される。２つのストリームの一方であるメインストリームには、ＬＤＲ画像データが格納されており、２つのストリームの他方であるサブストリームには、差分データやメタデータが格納されている。
【００２４】
ＬＤＲ画像データは、ＨＤＲ画像データを階調圧縮（ダウンサンプリング）した画像データ（ベース画像データ）である。ＬＤＲ画像データは、色深度のビット数がＨＤＲ画像データよりも少ない画像データである。本実施例では、ＬＤＲ画像データは、色深度が８ビットの画像データである。
【００２５】
差分データは、ＨＤＲ画像データとＬＤＲ画像データの差分に関するデータである。差分データとしては、輝度の差分に関するデータである輝度差分データ、色の差分に関するデータである色差分データ、等を使用することができる。輝度差分データは、「ＬＤＲ画像データの階調値とＨＤＲ画像データの階調値との対応関係を表すデータ」とも言える。差分データの値のビット数は特に限定されないが、本実施例では、差分データの値のビット数は４ビットである。
【００２６】
輝度差分データは、例えば、輝度比率データ、輝度変換テーブルデータ、等である。輝度比率データは、画素単位（又は所定数の画素からなる領域単位）で、ＬＤＲ画像データの階調値とＨＤＲ画像データの階調値との比率である輝度比率を表すデータである。輝度変換テーブルデータは、ＬＤＲ画像データのダイナミックレンジを拡大するレンジ拡大処理における入力階調値と出力階調値との対応関係を表すルックアップテーブルデータである。レンジ拡大処理は、ＬＤＲ画像データで表現しきれていない輝度を再現する処理と言うこともできる。
【００２７】
ＬＤＲ画像データは、例えば、トーンマップを用いてレンジ縮小処理（ＨＤＲ画像データのダイナミックレンジを縮小する画像処理）を行うことによって生成された画像データである。トーンマップは、レンジ縮小処理における入力階調値と出力階調値との対応関係を表すルックアップテーブルデータである。そして、上述した輝度変換テーブルデータは、トーンマップの入力階調値と出力階調値を入れ替えたルックアップテーブルデータである。そのため、輝度変換テーブルデータは“逆トーンマップ”と呼ぶことができる。
【００２８】
なお、輝度差分データは、画素単位（又は所定数の画素からなる領域単位）で、ＬＤＲ画像データの階調値とＨＤＲ画像データの階調値の一方から他方を減算した差分値である輝度差分値を表すデータであってもよい。色差分データとしても、輝度差分データと同様に、様々なデータを使用することができる。
【００２９】
メタデータには、高輝度ＨＤＲ画像（高輝度ＨＤＲ画像データが表す画像）の輝度に関する輝度データが格納されている。高輝度ＨＤＲ画像が動画像である場合、輝度データは、例えば、フレーム間の輝度の変化、シーン間の輝度の変化、各フレームの最大輝度、各シーンの最大輝度、等を含む。
【００３０】
ＬＤＲ画像データと差分データを用いたレンジ拡大処理を行うことにより、ＨＤＲ画像データを生成することができる。そして、ＨＤＲ画像データを用いた表示を行う際に輝度データをさらに用いることにより、ＨＤＲ画像（ＨＤＲ画像データが表す画像）のダイナミックレンジを拡大することができ、高輝度ＨＤＲ画像を表示することができる。
【００３１】
図２は、動画像データである高輝度ＨＤＲ画像データの一例を示す図である。図２には、メインストリームのデータとしてＬＤＲ画像データが示されており、サブストリームのデータとして差分データとメタデータが示されている。メタデータとして、各フレームの最大輝度（高輝度ＨＤＲ画像の輝度の最大値）と、各フレームの最大輝度座標（最大輝度の画像領域の座標）とが示されている。本実施例では、最大輝度と最大輝度座標の組み合わせが輝度データである。図２では、最大輝度として、高輝度ＨＤＲ画像の輝度の上限値に対する高輝度ＨＤＲ画像の輝度の最大値の割合［％］が示されている。最大輝度座標として、最大輝度の画像領域の中心座標（水平座標ｘ，垂直座標ｙ）が示されている。メインストリームのデータには、そのデータに対応するフレームを示す番号（フレーム管理番号）が付されている。フレーム管理番号は、例えば、メインストリームに対する処理とサブストリームに対する処理との間の同期をとるために使用される。メインストリームやサブストリームに対する処理は、例えば、デコードである。
【００３２】
なお、サブストリームのデータにフレーム管理番号が付されていてもよいし、メインストリームのデータとサブストリームのデータの両方にフレーム管理番号が付されていてもよい。最大輝度の単位は［％］に限らない。メタデータの付加方法も特に限定されない。例えば、動画コーデックが、Ｈ．２６４（ＡＶＣ）やＨ．２６５（ＨＥＶＣ）の符号化でメタデータを差分データに付加する。
【００３３】
なお、図２では、１フレームに対して１つの最大輝度が関連付けられているが、１フレームに対して複数の最大輝度が関連付けられていてもよい。ここで、画面内の複数の部分領域にそれぞれ対応する複数の光源をバックライト部が有し、且つ、複数の光源の発光輝度が個別に制御可能である場合を考える。部分領域は、画面の一部の領域である。複数の部分領域は、例えば、画面の領域を構成する複数の分割領域である。複数の部分領域が予め分かっている場合には、複数の部分領域に対応する複数の最大輝度を１フレームに関連付けることができる。部分領域に対応する最大輝度は、当該部分領域における高輝度ＨＤＲ画像の輝度の最大値である。
【００３４】
なお、メタデータ（輝度データ）は図２に示すデータに限らない。例えば、輝度が最大輝度である画像領域のサイズを輝度データが含んでいてもよい。画像表示装置１００の画面の表示素子数（画素数）が予め分かっている場合には、輝度が最大輝度である画像領域が表示される画面領域の表示素子数を輝度データに含めることもできる。
【００３５】
図１に示すように、画像表示装置１００は、ＨＤＲデコーダ１０１、ＨＤＲ生成部１０２、画像処理部１０３、液晶パネル１０４、特徴量取得部１０５、第１ＢＬ制御部１０６、第２ＢＬ制御部１０７、ＢＬ制御選択部１０８、バックライト部１０９、操作受信部１１０、特定操作判断部１１１、及び、再生制御部１１２を有する。各機能部は制御バスを用いて再生制御部１１２に接続されているが、図１では一部の制御バスが省略されている。
【００３６】
以下、画像表示装置１００の各機能部について、画像表示装置１００の処理フローに従って説明する。以下では、高輝度ＨＤＲ画像データとして動画像データが受信される場合の例を説明する。また、以下では、受信された高輝度ＨＤＲ画像の解像度がＦｕｌｌ−ＨＤ（水平方向の画素数×垂直方向の画素数＝１９２０画素×１０８０画素）である場合の例を説明する。
【００３７】
ＨＤＲデコーダ１０１は、不図示の受信部で受信された高輝度ＨＤＲ画像データをデコードする。具体的には、ＨＤＲデコーダ１０１は、メインストリームとサブストリームをそれぞれデコードする（デュアルデコード）。また、サブストリームにはメタデータが付加されており、ＨＤＲデコーダ１０１は、メタデータをさらにデコードする。それにより、ＬＤＲ画像データ、差分データ、及び、輝度データが取得される。ここでは、ＬＤＲ画像データとして、階調値の取り得る値の範囲が第１の階調範囲である第１動画像データが取得される。差分データとして、階調値の取り得る値の範囲が第２の階調範囲である第２動画像データと第１動画像データとの差分に関するデータが取得される。第２の階調範囲は第１の階調範囲よりも広く、第２の階調範囲の最大階調値（階調値の最大値）は第１の階調範囲の最大階調値よりも大きい。第２の動画像データは、ＨＤＲ画像データである。なお、ＬＤＲ画像データを取得する処理（第１取得処理）を行う機能部、差分データを取得する処理（第２取得処理）を行う機能部、及び、輝度データを取得する処理（第３取得処理）を行う機能部は、同じであってもよいし、異なっていてもよい。
【００３８】
ＨＤＲ生成部１０２は、ＨＤＲデコーダ１０１によって得られたＬＤＲ画像データと差分データを用いてＨＤＲ画像データ（第２動画像データ）を生成し、生成したＨＤＲ画像データを画像処理部１０３へ出力する。また、ＨＤＲ生成部１０２は、ＨＤＲデコーダ１０１によって得られた輝度データに基づいて各フレームのＢＬ輝度を算出し、ＢＬ輝度の算出値を含むＢＬ輝度データを再生制御部１１２へ出力する。複数の部分領域にそれぞれ対応する複数の値が輝度データに含まれている場合には、複数の部分領域にそれぞれ対応する複数のＢＬ輝度が算出される。ＢＬ輝度の算出方法は後述する。差分データが得られなかった場合には、ＨＤＲ生成部１０２は、ＬＤＲ画像データを画像処理部１０３に出力する。
【００３９】
画像処理部１０３は、ＨＤＲ生成部１０２から出力された画像データに所定の画像処理を施し、所定の画像処理が施された後の画像データを液晶パネル１０４に出力する。所定の画像処理は、例えば、画像データの画質を高める高画質化処理である。高画質化処理は、ガンマ変換処理、色変換処理、輝度変換処理、エッジ強調処理、ぼかし処理、等を含む。所定の画像処理として、１つの画像処理が行われてもよいし、複数の画像処理が行われてもよい。本実施例では、画像処理部１０３は、ＨＤＲ生成部１０２からＬＤＲ画像データが出力された場合にのみ、所定の画像処理を行う。そして、ＨＤＲ生成部１０２からＨＤＲ画像データが出力された場合には、画像処理部１０３は、画像処理部１０３に入力されたＨＤＲ画像データを、所定の画像処理を施さずに出力する。画像処理部１０３から出力される画像データは、「再生対象の動画像データである対象画像データ」と言える。なお、画像制作者の意図がメタデータとして含まれていた場合にのみ所定の画像処理が省略されてもよい。
【００４０】
液晶パネル１０４は、対象画像データに基づく画像を再生（表示）する。本実施例では、動画像が再生される。液晶パネル１０４は、複数の表示素子として複数の液晶素子を有する。各液晶素子の透過率は、画像処理部１０３から出力された画像データの階調値に応じた値に制御される。本実施例では、各液晶素子の透過率は、１２ビットの階調値に応じた値に制御される。階調値が８ビットの値であるＬＤＲ画像データが画像処理部１０３から出力された場合には、ＬＤＲ画像データの階調値の最後に４ビット分の０が付加される。それにより、ＬＤＲ画像データの階調値のビット数が８ビットから１２ビットに変換される。そして、ビット数が変換された後のＬＤＲ画像データに応じて各液晶素子の透過率が制御される。バックライト部１０９から発せられた光が画像データに応じた透過率で各液晶素子を透過することにより、画像が再生（表示）される。
【００４１】
特徴量取得部１０５は、ＨＤＲ生成部１０２から出力された画像データから、各フレームの特徴量（画像特徴量）を取得する。例えば、特徴量として、画像データが表す画像の輝度の最大値、最小値、最頻値、中間値、平均値、等が取得される。複数の部分領域に対応する複数の光源をバックライト部１０９が有する場合には、複数の部分領域にそれぞれ対応する複数の特徴量が取得されてもよい。部分領域に対応する特徴量は、当該部分領域における画像の特徴量である。そして、特徴量取得部１０５は、取得した特徴量を第１ＢＬ制御部１０６へ出力する。
【００４２】
第１ＢＬ制御部１０６は、特徴量取得部１０５が出力された特徴量に基づいて、バックライト部１０９の発光輝度を制御するための第１ＢＬ制御信号を生成する。例えば、ＨＤＲ生成部１０２から出力された画像データが表す画像が暗い場合に発光輝度を低減し、且つ、ＨＤＲ生成部１０２から出力された画像データが表す画像が明るい場合に発光輝度を高める信号が、第１ＢＬ制御信号として生成される。複数の部分領域に対応する複数の光源をバックライト部１０９が有する場合には、複数の光源にそれぞれ対応する複数の第１ＢＬ制御信号が生成される。光源に対応する第１ＢＬ制御信号は、当該光源の発光輝度を制御するための信号である。本実施例では、信号のパルス幅を制御することにより発光輝度が制御される。そのため、第１ＢＬ制御信号としてＰＷＭ（Ｐｕｌｓｅ  Ｗｉｄｔｈ  Ｍｏｄｕｌａｔｉｏｎ）信号が生成される。なお、発光輝度の制御方法は特に限定されない。信号のパルス振幅を制御することにより発光輝度が制御されてもよいし、信号のパルス幅とパルス振幅の両方を制御することにより発光輝度が制御されてもよい。
【００４３】
第２ＢＬ制御部１０７は、ＨＤＲ生成部１０２から出力されたＢＬ輝度データに基づいて、バックライト部１０９の発光輝度を制御するための第２ＢＬ制御信号を生成する。ＢＬ輝度データの代わりに、ＨＤＲデコーダ１０１によって得られた輝度データが使用されてもよい。例えば、ＢＬ輝度データが表すＢＬ輝度に発光輝度を制御する信号が、第２Ｂ
Ｌ制御信号として生成される。本実施例では、第２ＢＬ制御信号もＰＷＭ信号である。複数の部分領域に対応する複数の光源をバックライト部１０９が有する場合には、複数の光源にそれぞれ対応する複数の第２ＢＬ制御信号が生成される。例えば、複数の部分領域のそれぞれについて、その部分領域に対応するＢＬ輝度から、当該部分領域の光源に対応する第２ＢＬ制御信号が生成される。
【００４４】
ＢＬ制御選択部１０８は、再生制御部１１２からの指示に従って、第１ＢＬ制御部１０６によって生成された第１ＢＬ制御信号、または、第２ＢＬ制御部１０７によって生成された第２ＢＬ制御信号を選択する。そして、ＢＬ制御選択部１０８は、選択したＢＬ制御信号をバックライト部１０９に出力する。
【００４５】
バックライト部１０９は、ＢＬ制御選択部１０８から出力されたＢＬ制御信号に応じた発光輝度で発光する。具体的には、ＢＬ制御信号の値が第１の値である期間にバックライト部１０９が点灯し、ＢＬ制御信号の値が第２の値（＜第１の値）である期間にバックライト部１０９が消灯する。１フレーム期間におけるバックライト部１０９の点灯期間と消灯期間の比（デューティ比）によって、バックライト部１０９の発光輝度が決まる。バックライト部１０９は、１つ以上の光源を有する。各光源は、１つ以上の発光素子を有する。発光素子としては、発光ダイオード（ＬＥＤ）、有機ＥＬ素子、冷陰極管、等を使用することができる。本実施例では、バックライト部１０９として、直下型のバックライト部が使用される。直下型のバックライト部は、画面と平行な面において画面の領域内に配置された光源を有する。なお、バックライト部１０９は直下型のバックライト部に限らない。例えば、バックライト部１０９として、エッジ型のバックライト部が使用されてもよい。エッジ型のバックライト部は、画面と平行な面において画面の辺に沿って配置された光源を有する。また、上述したように、バックライト部１０９は、複数の部分領域にそれぞれ対応する複数の光源を有していてもよい。そして、複数の光源の発光輝度が個別に制御可能であってもよい。複数の光源の発光輝度が個別に制御することにより、よりコントラストが高い画像の生成が可能となる。複数の光源の発光輝度の個別制御は、「ローカルディミング制御」と呼ばれる。
【００４６】
操作受信部１１０は、画像表示装置１００に対するユーザ操作を受け付ける受付部である。ユーザ操作は、例えば、リモートコントローラ、操作ユニット、等を用いて行われる。操作受信部１１０は、行われたユーザ操作に応じた操作信号を、特定操作判断部１１１へ出力する。操作受信部１１０は、再生操作を含む様々なユーザ操作を受け付ける。再生操作は、動画像の再生方法に関するユーザ操作である。再生操作が行われた場合には、行われた再生操作に応じた再生方法で画像が再生される。
【００４７】
特定操作判断部１１１は、操作受信部１１０から出力された操作信号と、ＨＤＲ生成部１０２から出力されたＢＬ輝度データとに基づいて、行われたユーザ操作が特定の再生操作であるか否かを判断する。ＢＬ輝度データの代わりに、ＨＤＲデコーダ１０１によって得られた輝度データが使用されてもよい。特定の再生操作については後述する。
【００４８】
再生制御部１１２は、画像表示装置１００が有する各機能部の処理を制御する。
【００４９】
図３，４を用いて、ＨＤＲ生成部１０２の処理の具体例について説明する。図３は、メタデータ（輝度データ）に格納されている最大輝度をＢＬ輝度に変換するＬＵＴ（Ｌｏｏｋｕｐ  Ｔａｂｌｅ）の一例を示す。図３の横軸は最大輝度［％］を示し、図３の縦軸はＢＬ輝度［ｃｄ／ｍ２］を示す。ＢＬ輝度の上限値は特に限定されない。本実施例では、図３に示すように、ＢＬ輝度の上限値は、５０００［ｃｄ／ｍ２］である。図３のＬＵＴを用いた場合、最大輝度１００［％］はＢＬ輝度５０００［ｃｄ／ｍ２］に変換され、最大輝度５０［％］は２５００［ｃｄ／ｍ２］に変換される。図２のフレーム管理番号２０
０では、最大輝度が３０［％］であるため、ＨＤＲ生成部１０２によってＢＬ輝度１５００［ｃｄ／ｍ２］が算出される。
【００５０】
図４は、バックライト部１０９の構成の一例を示す図である。図４の斜線柄の四角は、光源を示す。光源の数や配置は特に限定されない。本実施例では、図４に示すように、バックライト部１０９は、水平方向の光源数×垂直方向の光源数＝１０個×６個の光源を有する。本実施例では、高輝度ＨＤＲ画像の解像度がＦｕｌｌ−ＨＤであるため、１つの光源は、水平方向の画素数×垂直方向の画素数＝１９２画素×１８０画素の画像領域に対応する。本実施例では、ＨＤＲ生成部１０２は、メタデータ（輝度データ）に格納されている最大輝度座標を含む画像領域に対応する光源の座標を、ＢＬ座標として算出する。本実施例では、左上端の画素（表示素子）の座標は（０，０）であり、右下端の画素の座標は（１９１９，１０７９）である。そして、左上端の光源の座標は（０，０）であり、右下端の光源の座標は（９，５）である。図２のフレーム管理番号２００では、ＢＬ輝度座標（水平座標，垂直座標）＝（５０，１０００）である（図４の点Ａ）。そのため、ＨＤＲ生成部１０２により、ＢＬ座標（水平座標，垂直座標）＝（０，５）が算出される。
【００５１】
本実施例では、上記の方法で決定されたＢＬ輝度とＢＬ座標を含むＢＬ輝度データが生成される。そして、ＢＬ座標の光源をＢＬ輝度で発光させ、且つ、残りの光源を所定の基準輝度で発光させる第２ＢＬ制御信号が生成される。
【００５２】
次に、図５を用いて、第１ＢＬ制御部１０６による発光輝度の制御範囲と、第２ＢＬ制御部１０７による発光輝度の制御範囲との具体例について説明する。図５に示す第１閾値（５００［ｃｄ／ｍ２］）は、特定操作判断部１１１の処理（ユーザ操作が特定の再生操作であるか否かの判断）において、最大輝度（ＢＬ輝度）と比較される。図５には、高輝度ＨＤＲ画像の輝度の取り得る値の範囲として、０［ｃｄ／ｍ２］から５０００［ｃｄ／ｍ２］の範囲が示されている。第１の輝度範囲は、第１ＢＬ制御部１０６によって制御される発光輝度の範囲であり、第２の輝度範囲は、第２ＢＬ制御部１０７によって制御される発光輝度の範囲である。図５では、第１の輝度範囲は、０［ｃｄ／ｍ２］から５００［ｃｄ／ｍ２］の範囲であり、第２の輝度範囲は、０［ｃｄ／ｍ２］から５０００［ｃｄ／ｍ２］の範囲である。本実施例では、ＬＤＲ画像（ＬＤＲ画像データが表す画像）やＨＤＲ画像を再生する際に第１の輝度範囲で発光輝度が制御され、高輝度ＨＤＲ画像を再生する際に第２の輝度範囲で発光輝度が制御される。なお、第１閾値は５００［ｃｄ／ｍ２］より高くても低くてもよい。第１閾値は、メーカーによって予め定められた固定値であってもよいし、ユーザが変更可能な値であってもよい。また、第２の輝度範囲の最大発光輝度（発光輝度の最大値）が第１の輝度範囲の最大発光輝度よりも高ければ、第１の輝度範囲と第２の輝度範囲はどのような範囲であってもよい。例えば、第１の輝度範囲は１つの発光輝度（２００［ｃｄ／ｍ２］等）のみを含んでいてもよい。
【００５３】
次に、画像表示装置１００の動作について、図６のフローチャートを用いて説明する。図６は、画像表示装置１００の動作全体の一例を示すフローチャートである。図６のフローチャートは、画像表示装置１００の状態が高輝度ＨＤＲ画像データを受信可能な状態となったタイミングで開始される。
【００５４】
まず、Ｓ６０１にて、画像表示装置１００が、メインストリームとサブストリームを受信する。次に、Ｓ６０２にて、ＨＤＲデコーダ１０１が、Ｓ６０１で受信されたメインストリームとサブストリーム（メタデータを含む）をデコードする。そして、Ｓ６０３にて、再生制御部１１２が、ＨＤＲデコーダ１０１と通信することにより、ＬＤＲ画像データ、差分データ、及び、輝度データが得られたか否かを判断する。ＬＤＲ画像データ、差分データ、及び、輝度データが得られた場合には、Ｓ６０４に処理が進められる。それ以外の場合には、Ｓ６０９に処理が進められる。具体的には、差分データと輝度データの少な
くとも一方が得られなかった場合には、Ｓ６０９に処理が進められる。
【００５５】
Ｓ６０９では、ＬＤＲ画像が再生される。具体的には、ＨＤＲ生成部１０２からＬＤＲ画像データが出力され、画像処理部１０３によりＬＤＲ画像データに所定の画像処理が施され、所定の画像処理が施された後の画像データに応じた値に液晶パネル１０４の透過率が制御される。また、特徴量取得部１０５によりＬＤＲ画像データから特徴量が取得され、特徴量に基づく第１ＢＬ制御信号が第１ＢＬ制御部１０６により生成され、ＢＬ制御選択部１０８により第１ＢＬ制御信号が選択される。そして、第１ＢＬ制御信号に応じた値にバックライト部１０９の発光輝度が制御される。それにより、ＬＤＲ画像が再生（表示）される。
【００５６】
Ｓ６０４では、ＨＤＲ生成部１０２が、Ｓ６０３で得られたＬＤＲ画像データと差分データを用いてＨＤＲ画像データを生成し、生成したＨＤＲ画像データを出力する。ＨＤＲ画像データを生成する方法（アルゴリズム）は特に限定されない。また、ＨＤＲ生成部１０２は、Ｓ６０３で得られた輝度データからＢＬ輝度データを生成し、生成したＢＬ輝度データを出力する。その後、ＢＬ輝度データに基づく第２ＢＬ制御信号が第２ＢＬ制御部１０７により生成される。また、特徴量取得部１０５によりＬＤＲ画像データから特徴量が取得され、特徴量に基づく第１ＢＬ制御信号が第１ＢＬ制御部１０６により生成される。
【００５７】
Ｓ６０４の次に、Ｓ６０５において、ＢＬ制御選択部１０８が、第２ＢＬ制御信号を選択する。そして、Ｓ６０６にて、高輝度ＨＤＲ画像が再生される。具体的には、Ｓ６０４で生成されたＨＤＲ画像データが液晶パネル１０４に入力され、ＨＤＲ画像データに応じた値に液晶パネル１０４の透過率が制御される。また、Ｓ６０４で決定された第２ＢＬ制御信号がバックライト部１０９に入力され、第２ＢＬ制御信号に応じた値にバックライト部１０９の発光輝度が制御される。それにより、高輝度ＨＤＲ画像が再生（表示）される。
【００５８】
次に、Ｓ６０７にて、操作受信部１１０が再生操作を待つ。再生操作が行われた場合には、Ｓ６０８に処理が進められる。再生操作が行われたか否かは、操作受信部１１０からの操作信号を再生制御部１１２が解析することで判断できる。Ｓ６０８では、再生操作処理が行われる。
【００５９】
次に、再生操作処理（図６のＳ６０８）について、図７のフローチャートを用いて説明する。図７は、再生操作処理の一例を示すフローチャートである。
【００６０】
まず、Ｓ７０１にて、特定操作判断部１１１が、図６のＳ６０７で行われた再生操作が特定の再生操作であるか否かを判断する。本実施例では、輝度が第１閾値よりも高い画像領域を含むフレームの再生時に行われた一時停止操作である第１の一時停止操作が、特定の再生操作として検出される。一時停止操作は、再生対象のフレームの更新を一時的に停止する再生操作である。具体的には、再生制御部１１２が、現在再生されているフレームまたはシーンのＢＬ輝度データをＨＤＲ生成部１０２から取得し、取得したＢＬ輝度データを特定操作判断部１１１に出力する。また、再生制御部１１２は、Ｓ６０７で得られた操作信号を解析することにより、Ｓ６０７で行われた再生操作が一時停止操作であるか否かを判断し、判断結果を特定操作判断部１１１に出力する。なお、再生操作の判断（再生操作が一時停止操作であるか否かの判断）はＳ６０７で行われてもよい。その後、特定操作判断部１１１が、ＢＬ輝度データが示すＢＬ輝度を第１閾値と比較する。そして、特定操作判断部１１１が、ＢＬ輝度の判断結果と再生操作の判断結果とに応じて、Ｓ６０７で行われた再生操作が第１の一時停止操作であるか否かを判断する。
【００６１】
再生操作が一時停止操作であり、且つ、ＢＬ輝度が第１閾値よりも高い場合には、Ｓ６０７で行われた再生操作が第１の一時停止操作であると判断され、Ｓ７０２へ処理が進められる。それ以外の場合には、Ｓ６０７で行われた再生操作が第１の一時停止操作でないと判断され、本フローチャートが終了され、Ｓ６０７で行われた再生操作に応じた再生方法で高輝度ＨＤＲ画像が再生される。
【００６２】
本実施例では、画像表示装置１００は、画像表示装置１００の内部の温度を測定する温度センサ（不図示）を有する。温度センサは、例えば、バックライト部１０９の温度を測定する。Ｓ７０２では、再生制御部１１２が、温度センサの測定値を監視し、温度センサの測定値に基づいて、画像表示装置１００の内部の温度が正常か否かを判断する。
【００６３】
本実施例の高輝度ＨＤＲ画像の輝度の上限値は、５０００［ｃｄ／ｍ２］である。５０００［ｃｄ／ｍ２］の発光輝度でバックライト部１０９が発光し続けると、バックライト部１０９の温度が高温となり、画像表示装置１００の誤作動が生じたり、画像表示装置１００が故障したりすることがある。高輝度且つ長時間の表示はユーザによる画像の視認において好ましくないため、高い輝度を維持する輝度データはメタデータに格納されない。そのため、高輝度ＨＤＲ画像の通常再生（通常（基準）の再生速度且つ通常（基準）の画像倍率での再生）が行われている場合には、５０００［ｃｄ／ｍ２］の発光輝度でバックライト部１０９が発光し続けることはない。しかし、再生操作が行われると、高い発光輝度でバックライト部１０９が発光し続けることがある。
【００６４】
温度センサの測定値（画像表示装置１００の内部の温度）が第３閾値よりも大きい場合には、画像表示装置１００の内部の温度が正常でないと判断され、Ｓ７０３へ処理が進められる。温度センサの測定値が第３閾値以下である場合には、画像表示装置１００の内部の温度が正常であると判断される。画像表示装置１００の内部の温度が正常でないと判断されるまで、Ｓ７０２の処理が繰り返される。画像表示装置１００の内部の温度に応じて処理を切り替えることにより、画像表示装置１００の誤作動や故障を抑制することができる。なお、第３閾値は、メーカーによって予め定められた固定値であってもよいし、ユーザが変更可能な値であってもよい。
【００６５】
Ｓ７０３では、再生制御部１１２が、動画像の再生の停止と高輝度の表示の抑制と一方の選択をユーザに求める選択情報を、ユーザに通知する。例えば、選択情報を示す画像を画面に表示することにより、選択情報がユーザに通知される。選択情報と、画像表示装置１００の内部の温度が高いことを示す温度情報とが、ユーザに通知されてもよい。
【００６６】
次に、Ｓ７０４にて、再生制御部１１２が、動画像の再生の停止を選択するユーザ操作が行われたか、高輝度の表示の抑制を選択するユーザ操作が行われたかを判断する。動画像の再生の停止を選択するユーザ操作が行われた場合には、Ｓ７０５に処理が進められ、高輝度の表示の抑制を選択するユーザ操作が行われた場合には、Ｓ７０７に処理が進められる。
【００６７】
Ｓ７０５では、再生制御部１１２が、動画像の再生が停止されることを示す停止情報を、ユーザに通知する。例えば、停止情報は、選択情報と同様に、画像表示によってユーザに通知される。そして、Ｓ７０６にて、再生制御部１１２が、対象画像データに基づく動画像の再生を停止する停止処理を行う。具体的には、再生制御部１１２が、画像の再生に必要なデータの出力の停止を、ＨＤＲ生成部１０２に指示する。それにより、ＨＤＲ生成部１０２からのデータの出力が停止され、画像の再生が停止される。
【００６８】
Ｓ７０７では、再生制御部１１２が、高輝度の表示が抑制されることを示す抑制情報を、ユーザに通知する。例えば、抑制情報は、選択情報と同様に、画像表示によってユーザ
に通知される。そして、Ｓ７０８とＳ７０９にて、再生制御部１１２が、輝度が第１閾値よりも高い画像の再生が抑制されるように再生を制御する制御処理を行う。本実施例では、制御処理として、再生された動画像の輝度を低減する低減処理が行われる。
【００６９】
Ｓ７０８では、再生制御部１１２が、第１ＢＬ輝度信号の選択を、ＢＬ制御選択部１０８に指示する。それにより、ＢＬ制御選択部１０８の出力信号が第２ＢＬ輝度信号から第１ＢＬ輝度信号に変更される。換言すれば、バックライト部１０９の発光輝度の取り得る値の範囲が第２の輝度範囲から第１の輝度範囲に変更される。その結果、バックライト部１０９の発光輝度が低減される。なお、バックライト部１０９の発光輝度を低減するＢＬ輝度低減処理の方法は特に限定されない。例えば、複数フレーム分の時間をかけて、ＢＬ制御選択部１０８の出力信号が第２ＢＬ輝度信号から第１ＢＬ輝度信号に段階的に変更されてもよい。第２ＢＬ輝度信号に応じた発光輝度から所定値だけ低い値にバックライト部１０９の発光輝度が低減されてもよい。低減後の発光輝度の取り得る値の範囲は、第１の輝度範囲と異なっていてもよい。
【００７０】
Ｓ７０９では、再生制御部１１２が、ＬＤＲ画像データの出力を、ＨＤＲ生成部１０２に指示する。それにより、ＨＤＲ生成部１０２の出力データである対象画像データがＨＤＲ画像データからＬＤＲ画像データに変更される。換言すれば、対象画像データの階調値の取り得る値の範囲が第２の階調範囲から第１の階調範囲に変更される。その結果、対象画像データの階調値が低減される。なお、対象画像データの階調値を低減する階調低減処理の方法は特に限定されない。例えば、複数フレーム分の時間をかけて、対象画像データがＨＤＲ画像データからＬＤＲ画像データに段階的に変更されてもよい。対象画像データの階調値から所定値だけ低い値に対象画像データの階調値が低減されてもよい。低減後の階調値の取り得る値の範囲は、第１の階調範囲と異なっていてもよい。
【００７１】
上述した低減処理（ＢＬ輝度低減処理と階調低減処理）により、ＬＤＲ画像が再生される。
【００７２】
Ｓ７０６またはＳ７０９の処理の次にＳ７１０の処理が行われる。Ｓ７１０では、再生制御部１１２が、高輝度ＨＤＲ画像の再生を再開する再開処理を行う。
【００７３】
なお、画像表示装置１００の内部の温度は考慮されなくてもよい。例えば、特定の再生操作が行われた場合に、Ｓ７０１からＳ７０７に処理が進められてもよい。
【００７４】
次に、再開処理（図７のＳ７１０）について、図８のフローチャートを用いて説明する。図８は、再開処理の一例を示すフローチャートである。
【００７５】
まず、Ｓ８０１にて、操作受信部１１０が、高輝度ＨＤＲ画像の再生の再開を指示するユーザ操作である再開操作を待つ。再開操作が行われると、Ｓ８０２以降の処理が行われる。再開操作は、「通常再生を開始するユーザ操作」とも言える。Ｓ７０９の処理が行われた後の再開操作は、「特定の再生操作（第１の一時停止操作）に応じた再生方法での再生を解除するユーザ操作」とも言える。本実施例では、Ｓ７０９の処理が行われた後の再開操作は、「第１の一時停止操作に応じた再生方法での再生を解除するユーザ操作」である。
【００７６】
Ｓ８０２では、再生制御部１１２が、高輝度ＨＤＲ画像の輝度が第１閾値よりも高い画像領域を含まないフレーム（低輝度フレーム）を検出する。本実施例では、現再生フレーム（現在再生されているフレーム）よりも前の複数のフレームのうち、ＢＬ輝度（最大輝度）が第１閾値以下であるフレームが検出される。具体的には、ＢＬ輝度が第１閾値以下であるＮフレーム期間（Ｎ枚（Ｎは２以上の整数）のフレーム分の期間）の先頭のフレー
ムが検出される。なお、Ｎの値は特に限定されない。Ｎの値は、メーカーによって予め定められた値であってもよいし、ユーザが変更可能な値であってもよい。画像表示装置１００の内部の温度に基づいてＮの値が決定されてもよい。
【００７７】
そして、Ｓ８０３にて、再生制御部１１２が、高輝度ＨＤＲ画像の再生（通常再生）を再開する制御を行う。その際、再生制御部１１２は、Ｓ８０２で検出されたフレームに、再生対象のフレームを切り替える（第１切り替え処理）。その結果、Ｓ８０２で検出されたフレームから高輝度ＨＤＲ画像が再生される。高輝度ＨＤＲ画像は、ＨＤＲ画像データと第２ＢＬ制御信号を使用することで再生される。
【００７８】
次に、Ｓ８０４にて、再生制御部１１２が、通常再生が再開されてからの経過時間が閾値時間に達したか否かを判断する。経過時間が閾値時間に達するまでＳ８０４の処理が繰り返し行われ、経過時間が閾値時間に達すると本フローチャートが終了される。また、通常再生が再開されてから閾値時間だけ経過するまでの期間では、再生制御部１１２は、再生操作を無効化する。これにより、通常再生が再開されてから閾値時間だけ経過するまでの期間では、操作受信部１１０で再生操作が受け付けられなくなる。その結果、制御処理の頻度を低減することができ、ユーザの違和感（制御処理による表示の変化によって生じる違和感）を低減することができる。なお、閾値時間は、メーカーによって予め定められた固定時間であってもよいし、ユーザが変更可能な時間であってもよい。
【００７９】
なお、Ｓ８０２の処理の方法は特に限定されない。例えば、現再生フレームよりも前のフレームが検出されてもよいし、現再生フレームよりも後のフレームが検出されてもよい。輝度が第１閾値よりも高い画像領域を含まない複数のフレームのうち、現再生フレームに時間的に最も近いフレームが検出されてもよい。上記複数のフレームとして、現再生フレームよりも前のフレームのみが使用されてもよいし、現再生フレームよりも後のフレームのみが使用されてもよい。上記複数のフレームとして、現再生フレームよりも前のフレームと、現再生フレームよりも後のフレームとの両方が使用されてもよい。但し、現再生フレームよりも前のフレームが検出されることが好ましい。それにより、ユーザによるフレームの見逃しを抑制したりすることができる。また、輝度が第１閾値よりも高い画像領域を含まないＮフレーム期間の先頭のフレームが検出されることが好ましい。それにより、高輝度なフレームがすぐに表示されることをより確実に抑制することができる。また、現再生フレームに時間的により近いフレームが検出されることが好ましい。それにより、再生対象のフレームの切り替えによるユーザの違和感を低減することができる。
【００８０】
図１１を用いて、再開処理の具体例について説明する。図１１の縦軸は高輝度ＨＤＲ画像の最大輝度（ＢＬ輝度）［ｃｄ／ｍ２］を示し、図１１の横軸は時間を示す。ここでは、フレーム１１０１の再生時に一時停止操作が行われ、その後に再開処理が行われた例を説明する。
【００８１】
従来の画像表示装置では、一時停止時に再生されていたフレームから、再生が再開されていた。しかしながら、高輝度なフレームやシーンから再生を再開すると、ユーザによる画像の視認が表示の眩しさによって妨げられることがある。そこで、本実施例では、ＢＬ輝度が第１閾値以下であるＮフレーム期間の先頭のフレーム１１０２から再生を再開する。それにより、高輝度なフレームやシーンからの再生の再開を抑制できる。
【００８２】
なお、再開処理後も継続して制御処理が行われ、適切なシーンで制御処理が解除されてもよい。適切なシーンは、例えば、上述したＮフレーム期間のシーンである。再生制御部１１２は、例えば、現再生フレームよりも後のフレームのＢＬ輝度（最大輝度）を先読みすることで、上記適切なシーンを検出する。図１１のフレーム１１０３から通常再生が再開され、フレーム１１０３からフレーム１１０２の期間ではＬＤＲ画像が再生され、フレ
ーム１１０２のタイミングで再生画像がＬＤＲ画像から高輝度ＨＤＲ画像に切り替えられてもよい。また、再開処理後に再生画像がＬＤＲ画像から段階的に高輝度ＨＤＲ画像に遷移するように、再生が制御されてもよい。
【００８３】
なお、本実施例では、一時停止操作時には再生対象のフレームを切り替えず、再開処理時に再生対象のフレームを切り替える例を説明したが、これに限らない。一時停止操作時に再生対象のフレームが切り替えられてもよい。例えば、第１の一時停止操作が行われた場合に、再生制御部１１２により、輝度が第１閾値よりも高い画像領域を含まないフレームに、再生対象のフレームが切り替えられてもよい（第２切り替え処理）。第２切り替え処理による切り替え後のフレームは、第１切り替え処理による切り替え後のフレームと同様に、特に限定されない。
【００８４】
なお、本実施例では、特定の再生操作が第１の一時停止操作である例を説明したが、これに限らない。例えば、特定の再生操作は、第２の一時停止操作、第１のスケーリング操作、第２のスケーリング操作、及び、速度変更操作の少なくともいずれかを含んでいてもよい。特定の再生操作は、第１の一時停止操作を含んでいなくてもよい。
【００８５】
第２の一時停止操作は、輝度が第１閾値よりも高く、且つ、サイズが第２閾値よりも大きい画像領域を含むフレームの再生時に行われた一時停止操作である。図９は、第２閾値の一例を示す図である。図９の縦軸は第２閾値［ｃｄ／ｍ２］を示し、図９の横軸は最大輝度を有する画像領域のサイズ（画素数）を示す。図９には、最大輝度を有する画像領域のサイズが大きいほど小さい値が、第２閾値として示されている。これは、高輝度の画像領域のサイズが小さいほど当該画像領域の明るさが際立つためである。ＢＬ輝度低減処理では、ＢＬ輝度を第２閾値まで低減することにより、バックライト部の発光輝度が低減されてもよい。第２の一時停止操作が行われた場合に、輝度が第１閾値よりも高く、且つ、サイズが第２閾値よりも大きい画像領域を含まないフレームに、再生対象のフレームが切り替えられもよい（第４切り替え処理）。再開処理で、輝度が第１閾値よりも高く、且つ、サイズが第２閾値よりも大きい画像領域を含まないフレームに、再生対象のフレームが切り替えられもよい（第３切り替え処理）。
【００８６】
なお、第３切り替え処理や第４切り替え処理による切り替え後のフレームは、第１切り替え処理による切り替え後のフレームと同様に、特に限定されない。また、第２閾値は図９に示す値に限らない。最大輝度を有する画像領域のサイズに依存しない値が、第２閾値として使用されてもよい。第２閾値は、メーカーによって予め定められた固定値であってもよいし、ユーザが変更可能な値であってもよい。
【００８７】
なお、第１の一時停止操作や第２の一時停止操作が行われた場合の制御処理は、特に限定されない。例えば、制御処理として、階調低減処理、ＢＬ輝度低減処理、第１切り替え処理、及び、第２切り替え処理のうちの少なくともいずれかが行われれば、高輝度な画像の再生を抑制することができる。
【００８８】
第１のスケーリング操作は、輝度が第１閾値よりも高い画像領域を含む画像が再生されるように、対象画像データの画像サイズを変更する再生操作である。第２のスケーリング操作は、輝度が第１閾値よりも高く、且つ、サイズが第２閾値よりも大きい画像領域を含む画像が再生されるように、対象画像データの画像サイズを変更する再生操作である。画像サイズを変更するスケーリング操作は、画像を拡大する拡大操作と、画像を縮小する縮小操作を含む。また、スケーリング操作は、ＰｂｙＰ（Ｐｉｃｔｕｒｅ  Ｂｙ  Ｐｉｃｔｕｒｅ）表示やＰｉｎＰ（Ｐｉｃｔｕｒｅ  Ｉｎ  Ｐｉｃｔｕｒｅ）表示のためのユーザ操作も含む。第１のスケーリング操作や第２のスケーリング操作が行われた場合には、例えば、制御処理として、階調低減処理とＢＬ輝度低減処理の少なくとも一方が行われる。
【００８９】
速度変更操作は、対象画像データに基づく動画像の再生速度を変更する再生操作である。速度変更操作は、再生速度を低減するスロー再生操作、再生速度を速める再生操作（早送り操作と早戻し操作）、等を含む。速度変更操作が行われた場合には、例えば、制御処理として、階調低減処理とＢＬ輝度低減処理の少なくとも一方が行われる。速度変更操作が行われた場合には、変更後の再生速度に応じた低減量で画像データの階調値やバックライト部の発光輝度が低減されてもよい。
【００９０】
図１０に、スロー再生操作が行われた場合のＢＬ輝度補正値の一例を示す。図１０の縦軸はＢＬ輝度補正値を示し、図１０の横軸は再生速度を示す。ＢＬ輝度補正値は、ＢＬ輝度低減処理で使用される。ＢＬ輝度補正値は、ＢＬ輝度を補正する補正値である。図１０には、ＢＬ輝度補正値として、ＢＬ輝度に乗算する乗算値が示されている。なお、ＢＬ輝度補正値は乗算値に限らない。例えば、ＢＬ輝度補正値として、ＢＬ輝度に加算する加算値が使用されてもよい。図１０において、再生速度１は通常の再生速度を示す。そのため、スロー再生操作は、再生速度を１よりも小さい値に低減する再生操作である。図１０の例では、１よりも小さい再生速度に、１（１００［％］）よりも小さいＢＬ輝度補正値が対応付けられている。また、再生速度が遅いほど、高い輝度での表示が長時間行われる可能性が高いため、再生速度に対して、再生速度が遅いほど小さいＢＬ輝度補正値が対応付けられている。
【００９１】
スロー再生操作が行われると、変更後の再生速度に対応するＢＬ輝度補正値を用いてＢＬ輝度が低減される（ＢＬ輝度低減処理）。図１０の例では、再生速度１／２にＢＬ輝度補正値５０％が対応付けられている。そのため、再生速度を１から１／２に低減するスロー再生操作が行われた場合には、ＢＬ輝度５０００［ｃｄ／ｍ２］が２５００［ｃｄ／ｍ２］に低減される。
【００９２】
再生操作以外のユーザ操作として、再生画像の輝度を調整する輝度調整操作が行われることもある。例えば、再生画像をユーザが近くで視認する場合には、再生画像をユーザが遠くから視認する場合に比べて、ユーザが眩しさを感じやすい。そのため、再生画像をユーザが近くで視認する場合に輝度調整操作が行われることがある。輝度調整操作が行われた場合には、輝度調整操作に応じた低減量で画像データの階調値やバックライト部の発光輝度を低減すればよい。例えば、輝度調整操作に応じたＢＬ輝度補正値を用いてＢＬ輝度を低減すればよい。
【００９３】
以上述べたように、本実施例によれば、特定の再生操作が行われた場合に、輝度が第１閾値よりも高い画像の再生が抑制されるように、再生が制御される。それにより、種々の再生操作が行われた場合に好適な画像をより確実に再生することができる。具体的には、際立った高輝度な表示が行われたり、高輝度且つ長時間の表示が行われたりすることを抑制することができる。
【００９４】
なお、本実施例では、ＬＤＲ画像データ、差分データ、及び、輝度データが受信される例を説明したが、これに限らない。例えば、ＨＤＲ画像データと輝度データが受信されてもよい。また、高輝度ＨＤＲ画像データが１ストリームで受信されてもよい。また、種々のデータの取得方法は特に限定されない。例えば、輝度データはメタデータに格納されていなくてもよい。ＬＤＲ画像データが格納されたストリーム、差分データが格納されたストリーム、及び、輝度データが格納されたストリームの３つのストリームが受信されてもよい。
【００９５】
＜実施例２＞
以下、本発明の実施例２に係る画像再生装置及び画像再生方法について説明する。本実
施例では、再生操作と再生の制御方法との対応関係に関する情報である制御情報がさらに取得される例を説明する。
【００９６】
図１２は、本実施例に係る画像表示装置（画像再生装置）１２００の機能構成の一例を示すブロック図である。図１２において、実施例１（図１）と同じ機能部には実施例１と同じ符号を付し、その説明は省略する。図１２に示すように、画像表示装置１２００は、ＨＤＲデコーダ１０１とＨＤＲ生成部１０２の間に、制御情報判断部１２０１を有する。また、画像表示装置１２００は、図１の再生制御部１１２の代わりに再生制御部１２０２を有する。
【００９７】
制御情報判断部１２０１は、ＨＤＲデコーダ１０１のデコード結果（デコードによって得られたデータ）を取得する。本実施例では、メタデータに制御情報が含まれていることがある。メタデータに制御情報が含まれている場合には、ＨＤＲデコーダ１０１は、メタデータをデコードすることによって、制御情報を取得する（第４取得処理）。制御情報判断部１２０１は、制御情報が取得されたか否かを判断し、判断結果を再生制御部１２０２へ出力する。
【００９８】
なお、第１取得処理を行う機能部、第２取得処理を行う機能部、第３取得処理を行う機能部、及び、第４取得処理を行う機能部は、同じであってもよいし、異なっていてもよい。制御情報の取得方法は特に限定されない。制御情報はメタデータに格納されていなくてもよい。ＬＤＲ画像データが格納されたストリーム、差分データが格納されたストリーム、輝度データが格納されたストリーム、及び、制御情報が格納されたストリームの４つのストリームが受信されてもよい。
【００９９】
再生制御部１２０２は、再生制御部１１２と同様の機能を有する。但し、本実施例では、制御情報が取得された場合に、再生制御部１２０２は、取得された制御情報に従って再生を制御する。
【０１００】
図１３は、制御情報の一例を示す図である。図１３には、複数の再生操作のそれぞれに対して、以下の３つの情報が関連付けられている。このような制御情報を使用することにより、ユーザ操作に応じて画像表示装置で行われる処理を、画像制作者やユーザが適宜設定したり変更したりすることが可能となる。
・再生操作を許可するか否かを示す許可情報
・再生操作が行われた際の再生の制御方法を示す第１制御情報
・通常再生の再開する際の再生の制御方法を示す第２制御情報
【０１０１】
なお、制御情報は、上記情報に限らない。例えば、制御情報が、許可情報、第１制御情報、及び、第２制御情報の少なくともいずれかを含んでいなくてもよい。制御情報が許可情報のみを含んでいてもよい。制御情報が、上記３つの情報（許可情報、第１制御情報、及び、第２制御情報）以外の情報を含んでいてもよい。また、制御情報は、動画像単位の情報であってもよいし、フレーム単位の情報であってもよいし、シーン単位の情報であってもよいし、ＧＯＰ（Ｇｒｏｕｐ  ｏｆ  Ｐｉｃｔｕｒｅ）単位の情報であってもよい。制御情報は、特定の再生操作のみについて再生の制御方法を示す情報であってもよい。
【０１０２】
画像表示装置１２００の動作全体のフローチャートは、実施例１（図６）と同じである
。次に、本実施例に係る再生操作処理（図６のＳ６０８）について、図１４のフローチャートを用いて説明する。図１４は、本実施例に係る再生操作処理の一例を示すフローチャートである。
【０１０３】
まず、Ｓ１４０１にて、制御情報判断部１２０１が、図６のＳ６０２で制御情報が得ら
れたか否かを判断する。制御情報が得られた場合にはＳ１４０２に処理が進められ、制御情報が得られなかった場合には図７のＳ７０１に処理が進められる。制御情報が得られなかった場合には、本フローチャートが終了され、Ｓ６０７で行われた再生操作に応じた再生方法で高輝度ＨＤＲ画像が再生されてもよい。
【０１０４】
Ｓ１４０２では、再生制御部１２０２が、Ｓ６０２で得られた制御情報（許可情報）に基づいて、Ｓ６０７で行われた再生操作が許可されているか否かを判定する。再生操作が許可されている場合にはＳ１４０３に処理が進められ、再生操作が許可されていない場合にはＳ１４０５に処理が進められる。Ｓ１４０５では、再生制御部１２０２が、Ｓ６０７で行われた再生操作が許可されていないことを示す非許可情報を、ユーザに通知する。例えば、非許可情報を示す画像を画面に表示することにより、非許可情報がユーザに通知される。その後、本フローチャートが終了される。
【０１０５】
図１３の制御情報では、一時停止操作、スロー再生操作、早送り操作、早戻し操作、拡大操作、及び、縮小操作が許可されており、輝度調整操作は禁止されている。そのため、一時停止操作、スロー再生操作、早送り操作、早戻し操作、拡大操作、または、縮小操作が行われた場合には、Ｓ１４０２からＳ１４０３に処理が進められ、輝度調整操作が行われた場合には、Ｓ１４０２からＳ１４０５に処理が進められる。
【０１０６】
Ｓ１４０３では、再生制御部１２０２が、Ｓ６０２で得られた制御情報（第１制御情報）に基づいて、再生を制御する。
【０１０７】
図１３において、一時停止操作の第１制御情報は、高輝度ＨＤＲ画像の表示を優先することと、高輝度ＨＤＲ画像の表示を維持できない場合に再生を停止することとを示す。「高輝度ＨＤＲ画像の表示を維持できない場合」は、例えば、画像表示装置１２００の内部の温度が正常でないことを意味する。そのため、一時停止操作が行われた場合には、高輝度ＨＤＲ画像の表示が行われる。そして、画像表示装置１２００の内部の温度が正常でないと判断された場合に、再生が停止される。
【０１０８】
また、図１３において、スロー再生操作の第１制御情報は、最大輝度（ＢＬ輝度）を３割低減することを示す。そのため、スロー再生操作が行われた場合には、ＢＬ輝度を３割低減するＢＬ輝度低減処理が行われる。早送り操作と早戻し操作の第１制御情報は、バックライト部１０９の発光輝度の取り得る値の範囲を第２の輝度範囲から第１の輝度範囲に切り替えることを示す。そのため、早送り操作または早戻し操作が行われた場合には、ＢＬ制御選択部１０８の出力信号を第２ＢＬ輝度信号から第１ＢＬ輝度信号に切り替えるＢＬ輝度低減処理が行われる。
【０１０９】
また、図１３において、拡大操作の第１制御情報は、画像の拡大率に応じて最大輝度（ＢＬ輝度）を低減することを示す。そのため、拡大操作が行われた場合には、拡大率に応じてＢＬ輝度を低減するＢＬ輝度低減処理が行われる。拡大率を用いたＢＬ輝度の低減方法は特に限定されない。例えば、拡大率に対応するＢＬ輝度補正値を用いてＢＬ輝度が低減されてもよい。拡大率とＢＬ輝度補正値の対応関係を示す情報は、制御情報に含まれていてもよいし、画像表示装置１２００に予め記録されていてもよい。縮小操作の第１制御情報は、ＬＤＲ画像を再生することを示す。そのため、縮小操作が行われた場合には、ＢＬ制御選択部１０８の出力信号を第２ＢＬ輝度信号から第１ＢＬ輝度信号に切り替えるＢＬ輝度低減処理が行われる。さらに、ＨＤＲ生成部１０２の出力データをＨＤＲ画像データからＬＤＲ画像データに切り替える階調低減処理が行われる。
【０１１０】
なお、再生を停止したり、高輝度の表示を抑制したりする際に、停止情報や抑制情報がユーザに通知されてもよい（図７のＳ７０５とＳ７０７）。
【０１１１】
Ｓ１４０３の次に、Ｓ１４０４の処理が行われる。Ｓ１４０４では、再生制御部１２０２が、高輝度ＨＤＲ画像の再生を再開する再開処理を行う。
【０１１２】
次に、本実施例に係る再開処理（図１４のＳ１４０４）について、図１５のフローチャートを用いて説明する。図１５は、本実施例に係る再開処理の一例を示すフローチャートである。
【０１１３】
まず、Ｓ１５０１にて、操作受信部１１０が再開操作を待つ。再開操作が行われると、Ｓ１５０２以降の処理が行われる。Ｓ１５０２では、再生制御部１２０２が、Ｓ１４０１の判断結果に基づいて、Ｓ６０７で行われた再生操作に対応する第２制御情報が制御情報に含まれているか否かを判断する。第２制御情報が制御情報に含まれている場合には、Ｓ１５０３に処理が進められ、第２制御情報が制御情報に含まれていない場合には、Ｓ１５０４に処理が進められる。
【０１１４】
Ｓ１５０３では、再生制御部１２０２が、Ｓ６０２で得られた制御情報（第２制御情報）に基づいて、再生を制御する。その後、Ｓ１５０５の処理が行われる。Ｓ１５０５の処理は、図８のＳ８０４の処理と同じである。
【０１１５】
図１３において、一時停止操作の第２制御情報は、ＢＬ輝度が第１閾値以下であるＮフレーム期間の先頭のフレームから高輝度ＨＤＲ画像を再生することを示す。そのため、一時停止操作の後に再開操作が行われた場合には、図８のＳ８０２とＳ８０３の処理と同様の処理が行われる。
【０１１６】
また、図１３において、スロー再生操作、早送り操作、早戻し操作、拡大操作、及び、縮小操作の第２制御情報は、バックライト部１０９の発光輝度の取り得る値の範囲を第２の輝度範囲に段階的に近づけることを示す。そのため、スロー再生操作、早送り操作、早戻し操作、拡大操作、または、縮小操作の後に再開操作が行われた場合には、ＢＬ制御選択部１０８の出力信号を第１ＢＬ輝度信号から第２ＢＬ輝度信号に段階的に近づける処理が行われる。また、拡大操作または縮小操作の後に再開操作が行われた場合には、ＨＤＲ生成部１０２の出力データをＬＤＲ画像データからＨＤＲ画像データに切り替える処理も行われる。
【０１１７】
Ｓ１５０４では、再生制御部１２０２が、高輝度ＨＤＲ画像の通常再生が行われるように、所定の方法で再生を制御する。なお、図７のフローチャートが実行された場合には、図８のＳ８０２とＳ８０３の処理が行われてもよいし、そうでなくてもよい。一時停止時に再生されていたフレームから通常再生が再開されてもよい。Ｓ１５０４の処理の方法は特に限定されない。Ｓ１５０４の次に、Ｓ１５０５の処理が行われる。
【０１１８】
以上述べたように、本実施例によれば、制御情報が取得され、制御情報に従って再生が制御される。種々の再生操作が行われた場合に好適な画像をより確実に再生することができる。さらに、ユーザ操作に応じて画像表示装置で行われる処理を、画像制作者やユーザが適宜設定したり変更したりすることが可能となる。また、本実施例では、制御情報が取得されない場合に、実施例１と同様の方法で再生が制御される。それにより、制御情報が取得されない場合にも、種々の再生操作が行われた場合に好適な画像をより確実に再生することができる。
【０１１９】
＜実施例３＞
以下、本発明の実施例３に係る画像出力装置及び画像出力方法について説明する。本実施例では、画像出力装置が撮像装置である場合の例を説明する。但し、本発明が適用可能
な画像出力装置は撮像装置に限らない。例えば、パーソナルコンピュータ、種々のレコーダー（ハードディスクレコーダー、ブルーレイレコーダー、ＤＶＤレコーダー、等）、種々のプレーヤー（ブルーレイプレーヤー、ＤＶＤプレーヤー、等）、スマートフォン、等に本発明を適用することもできる。
【０１２０】
図１６は、本実施例に係る画像表示システム（画像再生システム）の一例を示す図である。本実施例に係る画像表示システムは、撮像装置１６００と画像表示装置（画像再生装置）１６１０を有する。撮像装置１６００は、２本のＳＤＩ（Ｓｅｒｉａｌ  Ｄｉｇｉｔａｌ  Ｉｎｔｅｒｆａｃｅ）ケーブルを用いて画像表示装置１６１０に接続されている。なお、画像表示装置１６１０は、撮像装置１６００に設けられた表示部（再生部）であってもよい。
【０１２１】
撮像装置１６００は、撮像によって高輝度ＨＤＲ画像データを生成することができる。撮像装置１６００は、撮像によって生成した高輝度ＨＤＲ画像データを、２本のＳＤＩケーブルを介して画像表示装置１６１０に出力することができる。高輝度ＨＤＲ画像データの伝送方法は特に限定されない。本実施例では、高輝度ＨＤＲ画像データとして、２つのストリームが伝送される。２つのストリームの一方であるメインストリームには、ＬＤＲ画像データが格納されており、２つのストリームの他方であるサブストリームには、差分データやメタデータが格納されている。
【０１２２】
画像表示装置１６１０は、画像表示装置１６１０に入力された画像データに基づく画像を再生（表示）することができる。画像表示装置１６１０は高輝度ＨＤＲ画像を再生することができる。画像表示装置１６１０としては、透過型の液晶表示装置、反射型の液晶表示装置、液晶素子の代わりにＭＥＭＳシャッターを用いたＭＥＭＳシャッター方式表示装置、等を用いることができる。画像表示装置１６１０として、有機ＥＬ表示装置、プラズマ表示装置、等の自発光型の画像表示装置を用いることもできる。画像表示装置１６１０として、プロジェクターを用いることもできる。本実施例では、画像表示装置１６１０として、透過型の液晶表示装置が使用される。また、本実施例では、撮像によって生成された画像データの解像度（画素数）と、画像表示装置１６１０の画面の解像度（表示素子数）とが、いずれもＦｕｌｌ−ＨＤである。なお、これらの解像度は特に限定されない。
【０１２３】
図１７は、撮像装置１６００の機能構成の一例を示すブロック図である。図１７に示すように、撮像装置１６００は、撮像部１７０１、ＡＤ変換部１７０２、高輝度ＨＤＲ画像生成部１７０３、記憶部１７０４、操作受信部１７０５、特定操作判断部１７０６、制御部１７０７、輝度データ再生成部１７０８、画像処理部１７０９、ＯＳＤ合成部１７１０、表示部１７１１、出力データ決定部１７１２、ＳＤＩエンコーダ１７１３，１７１５、及び、ＳＤＩ出力端子１７１４，１７１６を有する。出力データ決定部１７１２は、輝度データ選択部１７２１、画像データ選択部１７２２、及び、出力データ変換部１７２３を有する。各機能部は制御バスを用いて制御部１７０７に接続されているが、図１７では一部の制御バスが省略されている。
【０１２４】
以下、撮像装置１６００の各機能部について、撮像装置１６００の処理フローに従って説明する。以下では、再生対象の画像データ（対象画像データ）として、動画像データが出力される場合の例を説明する。
【０１２５】
撮像部１７０１は、撮像（光電変換）によってアナログ信号であるＨＤＲ画像データを生成する。撮像部１７０１は、例えば、撮像素子と光学系を有する。撮像素子としては、ＣＣＤ（Ｃｈａｒｇｅ  Ｃｏｕｐｌｅｄ  Ｄｅｖｉｃｅ）センサ、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）センサ、等を使用することができる。
【０１２６】
ＡＤ変換部１７０２は、撮像部１７０１で得られたアナログ信号をデジタル信号に変換する（ＡＤ変換）。それにより、デジタル信号であるＨＤＲ画像データＤ１０３が得られる。
【０１２７】
高輝度ＨＤＲ画像生成部１７０３は、撮像部１７０１の撮像時に設定されていた撮像パラメータ、ＡＤ変換部１７０２で得られたＨＤＲ画像データＤ１０３の特徴量、等に基づいて、高輝度ＨＤＲ画像データを生成する。具体的には、高輝度ＨＤＲ画像生成部１７０３は、撮像パラメータ、ＨＤＲ画像データの特徴量、等に基づいて、輝度データＣ１０３を生成する。それにより、高輝度ＨＤＲ画像データ（ＨＤＲ画像データＤ１０３と輝度データＣ１０３の組み合わせ）が得られる。高輝度ＨＤＲ画像生成部１７０３は、輝度データＣ１０３とＨＤＲ画像データＤ１０３の間の同期がとれるように、輝度データＣ１０３をＨＤＲ画像データＤ１０３に関連付ける。本実施例では、輝度データＣ１０３が、メタデータとして、ＨＤＲ画像データＤ１０３に付加される。そして、高輝度ＨＤＲ画像生成部１７０３は、輝度データＣ１０３を出力したり、ＨＤＲ画像データＤ１０３を出力したり、高輝度ＨＤＲ画像データ（輝度データＣ１０３が関連付けられたＨＤＲ画像データＤ１０３）を出力したりする。輝度データＣ１０３とＨＤＲ画像データＤ１０３は、輝度データＣ１０３に対する処理とＨＤＲ画像データＤ１０３に対する処理との間の同期がとれるように出力される。
【０１２８】
記憶部１７０４は、高輝度ＨＤＲ画像生成部１７０３で生成された高輝度ＨＤＲ画像データ（輝度データＣ１０３が関連付けられたＨＤＲ画像データＤ１０３）を記憶する。記憶部１７０４としては、磁気ディスク、光ディスク、不揮発性メモリ、等を使用することができる。記憶部１７０４は、撮像装置１６００に対して着脱可能な記録媒体であってもよいし、そうでなくてもよい。例えば、記憶部１７０４として、内蔵メモリが使用されてもよいし、ＳＤカードが使用されてもよい。
【０１２９】
操作受信部１７０５は、撮像装置１６００に対するユーザ操作を受け付ける。ユーザ操作は、例えば、リモートコントローラ、操作ユニット、等を用いて行われる。操作受信部１７０５は、行われたユーザ操作に応じた操作信号を、特定操作判断部１７０６へ出力する。操作受信部１７０５は、再生操作を含む様々なユーザ操作を受け付ける。
【０１３０】
特定操作判断部１７０６は、操作受信部１７０５から出力された操作信号と、高輝度ＨＤＲ画像生成部１７０３から出力された輝度データＣ１０３とに基づいて、行われたユーザ操作が特定の再生操作であるか否かを判断する。
【０１３１】
制御部１７０７は、撮像装置１６００が有する各機能部の処理を制御する。例えば、制御部１７０７は、行われた再生操作に応じた再生方法で対象画像データに基づく動画像が画像表示装置１６１０によって再生されるように、画像表示装置１６１０へのデータの出力を制御する。また、特定の再生操作が行われた場合には、制御部１７０７は、輝度が第１閾値よりも高い画像の再生が抑制されるように、画像表示装置１６１０へのデータの出力を制御する。
【０１３２】
輝度データ再生成部１７０８は、制御部１７０７からの指示に従い、輝度データＣ１０３から輝度データＣ１０８を生成し、輝度データＣ１０８を出力する。
【０１３３】
画像処理部１７０９は、高輝度ＨＤＲ画像生成部１７０３から出力されたＨＤＲ画像データＤ１０３に所定の画像処理を施すことにより、ＨＤＲ画像データＤ１０９を生成する。そして、画像処理部１７０９は、生成したＨＤＲ画像データＤ１０９を出力する。所定の画像処理は、例えば、画像データの画質を高める高画質化処理である。高画質化処理は
、ガンマ変換処理、色変換処理、輝度変換処理、エッジ強調処理、ぼかし処理、等を含む。所定の画像処理として、１つの画像処理が行われてもよいし、複数の画像処理が行われてもよい。
【０１３４】
ＯＳＤ合成部１７１０は、制御部１７０７からの指示に従い、ＯＳＤ画像のデータを、画像処理部１７０９から出力されたＨＤＲ画像データＤ１０９に合成する。それにより、ＨＤＲ画像にＯＳＤ画像を重ねた画像を表す合成画像データが生成される。制御部１７０７は、例えば、ユーザ操作に応じて、ＯＳＤ画像の合成をＯＳＤ合成部１７１０に指示する。そして、ＯＳＤ合成部１７１０は、ＨＤＲ画像データＤ１１０を出力する。ＯＳＤ画像の合成が行われた場合には、合成画像データがＨＤＲ画像データＤ１１０として出力され、ＯＳＤ画像の合成が行われなかった場合には、ＨＤＲ画像データＤ１０９がＨＤＲ画像データＤ１１０として出力される。ＯＳＤ画像としては、メニュー画像等のＵＩ（ユーザインタフェース）画像が使用される。ＯＳＤ画像として、撮像装置１６００の動作状態を示す画像が使用されることもある。
【０１３５】
表示部１７１１は、ＯＳＤ合成部１７１０から出力されたＨＤＲ画像データＤ１１０に基づく画像を表示する。表示部１７１１としては、液晶パネルとバックライト部、有機ＥＬ表示パネル、プラズマ表示パネル、等を使用することができる。本実施例では、表示部１７１１では、ＨＤＲ画像データＤ１１０が表すＨＤＲ画像が表示される。表示部１７１１では、例えば、被写体の現在の状態を表す画像が表示されたり、過去の撮像によって得られた画像が表示されたり、上述したＯＳＤ画像が表示されたりする。
【０１３６】
出力データ決定部１７１２は、制御部１７０７からの指示に従い、画像表示装置１６１０に出力するデータを決定する。
【０１３７】
輝度データ選択部１７２１は、高輝度ＨＤＲ画像生成部１７０３から出力された輝度データＣ１０３、または、輝度データ再生成部１７０８から出力された輝度データＣ１０８を、制御部１７０７からの指示に従って選択する。そして、輝度データ選択部１７２１は、選択した輝度データを出力する。
【０１３８】
画像データ選択部１７２２は、ＨＤＲ画像データＤ１０３、ＨＤＲ画像データＤ１０９、または、ＨＤＲ画像データＤ１１０を、制御部１７０７からの指示に従って選択する。そして、画像データ選択部１７２２は、選択したＨＤＲ画像データを出力する。
【０１３９】
出力データ変換部１７２３は、画像データ選択部１７２２から出力されたＨＤＲ画像データに基づいて、ＬＤＲ画像データと差分データを生成する。換言すれば、出力データ変換部１７２３は、画像データ選択部１７２２から出力されたＨＤＲ画像データを、ＬＤＲ画像データと差分データに変換する。出力データ変換部１７２３は、ＬＤＲ画像データと差分データのデータフォーマットをＳＤＩのデータフォーマットに変換し、輝度データ選択部１７２１から出力された輝度データを差分データのアンシラリ領域へ書き込む。そして、出力データ変換部１７２３は、ＬＤＲ画像データと、輝度データが付加された差分データとを出力する。
【０１４０】
ＳＤＩエンコーダ１７１３は、ＳＤＩエンコーダ１７１３に入力されたパラレルデータをシリアルデータに変換し、ＳＤＩ出力端子１７１４を介して画像表示装置１６１０にシリアルデータを出力する。ＳＤＩエンコーダ１７１５は、ＳＤＩエンコーダ１７１５に入力されたパラレルデータをシリアルデータに変換し、ＳＤＩ出力端子１７１６を介して画像表示装置１６１０にシリアルデータを出力する。メインストリームであるＬＤＲ画像データは、ＳＤＩエンコーダ１７１３とＳＤＩ出力端子１７１４を介して画像表示装置１６１０に伝送される。サブストリームである差分データと輝度データは、ＳＤＩエンコーダ
１７１５とＳＤＩ出力端子１７１６を介して画像表示装置１６１０に伝送される。本実施例では、ＳＤＩ出力端子１７１４，１７１６から出力された動画像データが、対象画像データである。そして、本実施例では、ＨＤＲ画像データとして、ＬＤＲ画像データと差分データが出力される。そのため、ＬＤＲ画像データが出力され、且つ、差分データが出力されなかった場合には、対象画像データはＬＤＲ画像データである。ＬＤＲ画像データと差分データが出力された場合には、対象画像データはＨＤＲ画像データである。
【０１４１】
次に、撮像装置１６００の動作について、図１８のフローチャートを用いて説明する。図１８のフローチャートは、例えば、ＡＤ変換部１７０２でＨＤＲ画像データＤ１０３が生成されたタイミングで開始される。
【０１４２】
まず、Ｓ１８０１にて、制御部１７０７が、高輝度ＨＤＲ画像生成部１７０３に対して、高輝度ＨＤＲ画像データの生成を指示する。高輝度ＨＤＲ画像生成部１７０３は、制御部１７０７からの指示に応じて、各フレームについて、そのフレームのＨＤＲ画像データＤ１０３の特徴量を取得する。そして、高輝度ＨＤＲ画像生成部１７０３は、各フレームについて、そのフレームの特徴量から、当該フレームの輝度データＣ１０３を生成する。輝度データを生成する方法（アルゴリズム）は特に限定されない。
【０１４３】
図１９は、ＨＤＲ画像データＤ１０３と輝度データＣ１０３の対応関係の一例を示す図である。ＨＤＲ画像データＤ１０３には、そのＨＤＲ画像データＤ１０３に対応するフレーム管理番号が付されている。フレーム管理番号は、例えば、ＨＤＲ画像データＤ１０３に対する処理と輝度データＣ１０３に対する処理との間の同期をとるために使用される。なお、輝度データＣ１０３にフレーム管理番号が付されていてもよいし、ＨＤＲ画像データＤ１０３と輝度データＣ１０３の両方にフレーム管理番号が付されていてもよい。
【０１４４】
図１９では、輝度データＣ１０３として、各フレームの最大輝度（高輝度ＨＤＲ画像の輝度の最大値）と、各フレームの最大輝度座標（最大輝度の画像領域の座標）とが示されている。図１９では、最大輝度の単位は［ｃｄ／ｍ２］である。
【０１４５】
なお、図１９では、１フレームに対して１つの最大輝度が関連付けられているが、１フレームに対して複数の最大輝度が関連付けられていてもよい。ここで、複数の部分領域にそれぞれ対応する複数の光源をバックライト部が有し、且つ、複数の光源の発光輝度が個別に制御可能である場合を考える。複数の部分領域が予め分かっている場合には、複数の部分領域に対応する複数の最大輝度を１フレームに関連付けることができる。部分領域に対応する最大輝度は、当該部分領域における高輝度ＨＤＲ画像の輝度の最大値である。
【０１４６】
なお、輝度データは図１９に示すデータに限らない。例えば、輝度が最大輝度である画像領域のサイズを輝度データが含んでいてもよい。画像表示装置１６１０の画面の表示素子数（画素数）が予め分かっている場合には、輝度が最大輝度である画像領域が表示される画面領域の表示素子数を輝度データに含めることもできる。
【０１４７】
本実施例では、撮像装置１６００が、画像表示装置１６１０で再生可能な輝度の取り得る値の範囲を予め把握している。画像表示装置１６１０で再生可能な輝度の取り得る値の範囲を示す情報は、不図示の通信部が画像表示装置１６１０から取得してもよいし、そうでなくてもよい。規格等で定義されている高輝度ＨＤＲ画像の輝度範囲を示す情報が、画像表示装置１６１０で再生可能な輝度の取り得る値の範囲を示す情報として使用されてもよい。なお、最大輝度の単位は［ｃｄ／ｍ２］に限らない。例えば、最大輝度の単位は［％］であってもよい。具体的には、最大輝度として、高輝度ＨＤＲ画像の輝度の上限値に対する高輝度ＨＤＲ画像の輝度の最大値の割合が使用されてもよい。
【０１４８】
Ｓ１８０１の次に、Ｓ１８０２にて、制御部１７０７が、ＨＤＲ画像データと輝度データが画像表示装置１６１０に出力されるように、出力データ決定部１７１２の処理を制御する。具体的には、制御部１７０７は、輝度データＣ１０３の選択を輝度データ選択部１７２１に対して指示し、ＨＤＲ画像データＤ１０３の選択を画像データ選択部１７２２に対して指示する。その結果、輝度データ選択部１７２１から出力データ変換部１７２３に輝度データＣ１０３が伝送され、画像データ選択部１７２２から出力データ変換部１７２３にＨＤＲ画像データＤ１０３が伝送される。そして、制御部１７０７は、データの変換を出力データ変換部１７２３に対して指示する。出力データ変換部１７２３は、制御部１７０７からの指示に応じて、画像データ選択部１７２２から出力されたＨＤＲ画像データを、ＬＤＲ画像データと差分データに変換する。出力データ変換部１７２３は、ＬＤＲ画像データと差分データのデータフォーマットをＳＤＩのデータフォーマットに変換し、輝度データ選択部１７２１から出力された輝度データを、メタデータとして、差分データに付加する。そして、出力データ変換部１７２３は、ＬＤＲ画像データと、輝度データが付加された差分データとを出力する。その結果、ＬＤＲ画像データがメインストリームとして画像表示装置１６１０に入力され、輝度データが付加された差分データがサブストリームとして画像表示装置１６１０に入力される。本実施例では、ＬＤＲ画像データ、差分データ、及び、輝度データが画像表示装置１６１０に入力された場合、画像表示装置１６１０では、高輝度ＨＤＲ画像が再生される。そのため、Ｓ１８０２の処理により、高輝度ＨＤＲ画像が再生される。なお、高輝度ＨＤＲ画像の再生方法は特に限定されない。
【０１４９】
図２０は、撮像装置１６００が出力するデータの一例を示す図である。図２０では、図１９と異なり、ＨＤＲ画像データがＬＤＲ画像データと差分データに分かれている。
【０１５０】
Ｓ１８０２において、輝度データＣ１０３は、ＳＤＩデータのアンシラリ領域に書き込まれる。図２１は、ＳＤＩデータのデータ構造（データマップ）の一例を示す。図２１に示されているデータマップは、１フレーム分のデータマップであり、Ｆｕｌｌ−ＨＤのデータマップである。図２１の縦軸はライン番号を示し、図２１の横軸はサンプル番号を示す。図２１において、横線で示された領域は補助データ（水平補助データ）を格納可能なアンシラリ領域である。そのため、横線で示された領域は「水平補助データ領域」と呼ぶことができる。斜線で示された領域も補助データ（垂直補助データ）を格納可能なアンシラリ領域である。そのため、斜線で示された領域は「垂直補助データ領域」と呼ぶことができる。本実施例では、輝度データは、ＳＤＩデータである差分データの垂直補助データ領域に格納される。
【０１５１】
ＥＡＶ（Ｅｎｄ  ｏｆ  Ａｃｔｉｖｅ  Ｖｉｄｅｏ）には、ＳＤＩデータのＴＲＳ（Ｔｉｍｉｎｇ  Ｒｅｆｅｒｅｎｃｅ  Ｓｉｇｎａｌ）における水平／垂直の有効画像領域終了点を表す識別子が格納されている。例えば、ＥＡＶには、識別子として、［３ＦＦ］［０００］［０００］［ＸＹＺ］の４ワードからなる同期識別コードが格納される。［ＸＹＺ］の内容から、ＥＡＶ、ＳＡＶ、フィールド、水平／垂直を識別することができる。
【０１５２】
ＬＮ（Ｌｉｎｅ  Ｎｕｍｂｅｒ）には、ＳＤＩデータのライン番号を監視するためのデータが格納されている。ＣＲＣＣ（ＣｙｃｌｉＣｒｅｄｕｎｄａｎｃｙ  Ｃｈｅｃｋ  Ｃｏｄｅ）には、有効画像領域のデータ、ＥＡＶ、及び、ＬＮの伝送エラーをチェックするためのデータが格納されている。
【０１５３】
ＳＡＶ（Ｓｔａｒｔ  ｏｆ  Ａｃｔｉｖｅ  Ｖｉｄｅｏ）には、ＳＤＩデータのＴＲＳにおける水平／垂直の有効画像領域開始点を表す識別子が格納されている。例えば、ＳＡＶには、識別子として、［３ＦＦ］［０００］［０００］［ＸＹＺ］の４ワードからなる同期識別コードが格納される。［ＸＹＺ］の内容から、ＥＡＶ、ＳＡＶ、フィールド、水平／垂直を識別することができる。
【０１５４】
なお、高輝度ＨＤＲ画像生成部１７０３が記憶部１７０４からＨＤＲ画像データＤ１０３と輝度データＣ１０３を読み出したタイミングで図１８のフローチャートが開始されてもよい。その場合には、読み出されたＨＤＲ画像データからＬＤＲ画像データと差分データが生成され、生成されたＬＤＲ画像データ、生成された差分データ、及び、読み出された輝度データが画像表示装置１６１０に出力される。
【０１５５】
Ｓ１８０２の次に、Ｓ１８０３にて、操作受信部１７０５が再生操作を待つ。再生操作が行われた場合には、Ｓ１８０４に処理が進められる。再生操作が行われたか否かは、操作受信部１７０５からの操作信号を制御部１７０７が解析することで判断できる。
【０１５６】
Ｓ１８０４では、特定操作判断部１７０６が、Ｓ１８０３で行われた再生操作が特定の再生操作であるか否かを判断する。本実施例では、第１の一時停止操作が特定の再生操作として検出される。具体的には、制御部１７０７が、現在再生されているフレームまたはシーンの輝度データＣ１０３を高輝度ＨＤＲ画像生成部１７０３から取得し、取得した輝度データＣ１０３を特定操作判断部１７０６に出力する。また、制御部１７０７は、Ｓ１８０３で得られた操作信号を解析することにより、Ｓ１８０３で行われた再生操作が一時停止操作であるか否かを判断し、判断結果を特定操作判断部１７０６に出力する。なお、再生操作の判断（再生操作が一時停止操作であるか否かの判断）はＳ１８０３で行われてもよい。その後、特定操作判断部１７０６が、輝度データＣ１０３が示す最大輝度を第１閾値と比較する。そして、特定操作判断部１７０６が、最大輝度の判断結果と再生操作の判断結果とに応じて、Ｓ１８０３で行われた再生操作が第１の一時停止操作であるか否かを判断する。
【０１５７】
再生操作が一時停止操作であり、且つ、最大輝度が第１閾値よりも高い場合には、Ｓ１８０３で行われた再生操作が第１の一時停止操作であると判断され、Ｓ１８０５へ処理が進められる。それ以外の場合には、Ｓ１８０３で行われた再生操作が第１の一時停止操作でないと判断され、本フローチャートが終了され、Ｓ１８０３で行われた再生操作に応じた再生方法で高輝度ＨＤＲ画像が再生される。
【０１５８】
図２２は、第１閾値の一例を示す図である。図２２は、高輝度ＨＤＲ画像の輝度の取り得る値の範囲が０［ｃｄ／ｍ２］以上且つ５０００［ｃｄ／ｍ２］以下の範囲である場合の例を示す。本実施例では、画像表示装置１６１０に輝度データが入力された場合、画像表示装置１６１０が有するバックライト部の発光輝度が、輝度データに基づく値に制御される。輝度データを用いた発光輝度の制御方法は、実施例１，２で述べたとおりである。バックライト部の発光輝度の取り得る値の範囲は、第１の輝度範囲と第２の輝度範囲との間で変更可能である。高輝度ＨＤＲ画像の輝度の取り得る値の範囲として第１の輝度範囲が使用された場合、バックライト部の発光輝度の取り得る値の範囲としても第１の輝度範囲が使用される。高輝度ＨＤＲ画像の輝度の取り得る値の範囲として第２の輝度範囲が使用された場合、バックライト部の発光輝度の取り得る値の範囲としても第２の輝度範囲が使用される。図２２では、第１の輝度範囲は、０［ｃｄ／ｍ２］から５００［ｃｄ／ｍ２］の範囲であり、第２の輝度範囲は、０［ｃｄ／ｍ２］から５０００［ｃｄ／ｍ２］の範囲である。図２２では、第１閾値として５００［ｃｄ／ｍ２］が設定されている。図１９のフレーム管理番号１９０１では、最大輝度が２５００［ｃｄ／ｍ２］（＞５００［ｃｄ／ｍ２］）であるため、一時停止操作が第１の一時停止操作であると判断される。
【０１５９】
なお、第１閾値は５００［ｃｄ／ｍ２］より高くても低くてもよい。第１閾値は、メーカーによって予め定められた固定値であってもよいし、ユーザが変更可能な値であってもよい。また、第２の輝度範囲の最大発光輝度（発光輝度の最大値）が第１の輝度範囲の最大発光輝度よりも高ければ、第１の輝度範囲と第２の輝度範囲はどのような範囲であって
もよい。例えば、第１の輝度範囲は１つの発光輝度（２００［ｃｄ／ｍ２］等）のみを含んでいてもよい。
【０１６０】
Ｓ１８０５では、制御部１７０７が、輝度が第１閾値よりも高い画像の再生が抑制されるように画像表示装置１６１０へのデータの出力を制御する制御処理を行う。本実施例では、制御処理として、再生された動画像の輝度が低減されるように出力を制御する低減処理が行われる。
【０１６１】
本実施例では、低減処理として、階調低減処理とＢＬ輝度低減処理が行われる。まず、本実施例に係る階調低減処理について説明する。本実施例に係る階調低減処理は、対象画像データの階調値が低減されるように出力を制御する処理である。具体的には、階調低減処理は、対象画像データがＨＤＲ画像データからＬＤＲ画像データに変更されるように出力を制御する処理である。制御部１７０７は、差分データの出力の停止を出力データ決定部１７１２に指示する。その結果、出力データ決定部１７１２からの差分データの出力が停止され、対象画像データがＨＤＲ画像データからＬＤＲ画像データに変更される。
【０１６２】
なお、階調低減処理の方法は特に限定されない。例えば、複数フレーム分の時間をかけて、対象画像データがＨＤＲ画像データからＬＤＲ画像データに段階的に変更されてもよい。対象画像データの階調値から所定値だけ低い値に対象画像データの階調値が低減されてもよい。低減後の階調値の取り得る値の範囲は、第１の階調範囲（ＨＤＲ画像データの階調値の範囲）と異なっていてもよい。
【０１６３】
次に、本実施例に係るＢＬ輝度低減処理について説明する。本実施例に係るＢＬ輝度低減処理は、バックライト部の発光輝度が低減されるように出力を制御する処理である。具体的には、ＢＬ輝度低減処理は、発光輝度の取り得る値の範囲が第２の輝度範囲から第１の輝度範囲に変更されるように出力を制御する処理である。本実施例では、高輝度ＨＤＲ画像生成部１７０３により、第２の輝度範囲に対応する輝度データＣ１０３が生成され、輝度データ再生成部１７０８により、第１の輝度範囲に対応する輝度データＣ１０８が生成される。制御部１７０７は、輝度データＣ１０８の選択を輝度データ選択部１７２１に指示する。その結果、出力データ決定部１７１２から出力される輝度データが輝度データＣ１０３から輝度データＣ１０８に変更され、発光輝度の取り得る値の範囲が第２の輝度範囲から第１の輝度範囲に変更される。
【０１６４】
なお、ＢＬ輝度低減処理の方法は特に限定されない。例えば、出力データ決定部１７１２から出力される輝度データが、複数フレーム分の時間をかけて、輝度データＣ１０３から輝度データＣ１０８に段階的に変更されてもよい。輝度データＣ１０３に応じた発光輝度から所定値だけ低い値に発光輝度が低減されるように、輝度データＣ１０３から輝度データＣ１０８が生成されてもよい。低減後の発光輝度の取り得る値の範囲は、第１の輝度範囲と異なっていてもよい。
【０１６５】
ＢＬ輝度低減処理として、画像表示装置１６１０への輝度データの出力を停止する処理が行われてもよい。画像表示装置１６１０に輝度データが入力されなかった場合、画像表示装置１６１０が対象画像データの特徴量に基づいてバックライト部の発光輝度を制御することがある。そのような場合には、制御部１７０７が、画像処理部１７０９に画像処理を行わせ、ＨＤＲ画像データＤ１０９を画像データ選択部１７２２に選択させることが好ましい。画像処理は、発光輝度の制御を考慮した画像処理であり、例えば、輝度、色、色域、ガンマ特性、コントラスト、等を変更する画像処理である。
【０１６６】
輝度データ再生成部１７０８の動作の具体例について、図１９，２０を用いて説明する。ここでは、図１９のフレーム管理番号１９０１で一時停止操作が行われた場合を考える
。Ｓ１８０４で一時停止操作が第１の一時停止操作であると判断された場合に、輝度データ再生成部１７０８は、輝度データＣ１０３から輝度データＣ１０８を生成する。なお、輝度データＣ１０８の生成は、Ｓ１８０４の判断結果に依らず常に行われてもよい。輝度データ再生成部１７０８は、画像表示装置１６１０で第１の輝度範囲内の輝度が再生されるように、輝度データＣ１０８を生成する。例えば、図２０に示すように、フレーム管理番号１９０１のフレームの最大輝度として、第１輝度範囲内の値である２００［ｃｄ／ｍ２］を示す輝度データが、輝度データＣ１０８として生成される。フレーム管理番号１９０１で一時停止操作が行われたため、図２０では、フレーム管理番号１９０１のフレームからのフレームの更新が停止されている。
【０１６７】
制御処理として、第２切り替え処理が行われてもよい。本実施例に係る第２切り替え処理は、輝度が第１閾値よりも高い画像領域を含まないフレームに、再生対象（出力対象）のフレームが切り替えられるように、出力を制御する処理である。本実施例に係る第２切り替え処理による切り替え後のフレームは、実施例１で述べた第１切り替え処理による切り替え後のフレームと同様に、特に限定されない。制御処理として、画像表示装置１６１０への全データの出力を停止する処理が行われてもよい。
【０１６８】
なお、制御部１７０７が、制御処理を行う際に、高輝度の表示が抑制されることを示す抑制情報をユーザに通知してもよい。例えば、制御部１７０７が、抑制情報を示すＯＳＤ画像の合成をＯＳＤ合成部１７１０に指示し、ＨＤＲ画像データＤ１１０の選択を画像データ選択部１７２２に指示してもよい。それにより、抑制情報を示すＯＳＤ画像が画像表示装置１６１０で表示され、抑制情報がユーザに通知される。また、ＯＳＤ合成部１７１０でメニュー画像等のＵＩ画像の合成が行われた場合にも、制御処理が行われてよい。
【０１６９】
本実施例では、出力データ変換部１７２３が、メインストリームのペイロードＩＤ（図２１の黒で塗りつぶされた領域）が存在するラインの次のラインのアンシラリ領域（座標（１９２８，１１）からのアンシラリ領域）に、ステータス情報を書き込む。ステータス情報は、撮像装置１６００の出力状態を示す情報である。撮像装置１６００の出力状態には、ＨＤＲ画像データ出力中、ＬＤＲ画像データ出力中、ＬＤＲ画像データからＨＤＲ画像データへの遷移中、等がある。このようなステータス情報を画像表示装置１６１０に出力することにより、画像表示装置１６１０に入力された画像データを画像表示装置１６１０が把握可能となる。
【０１７０】
Ｓ１８０５の次に、Ｓ１８０６にて、操作受信部１７０５が、高輝度ＨＤＲ画像の再生の再開を指示するユーザ操作である再開操作を待つ。再開操作が行われると、Ｓ１８０７以降の処理が行われる。再開操作は、「通常再生を開始するユーザ操作」とも言える。本実施例では、再開操作は、「特定の再生操作（第１の一時停止操作）に応じた再生方法での再生を解除するユーザ操作」とも言える。
【０１７１】
Ｓ１８０７では、制御部１７０７が、高輝度ＨＤＲ画像の輝度が第１閾値よりも高い画像領域を含まないフレーム（低輝度フレーム）を検出する。本実施例では、現出力フレーム（現在出力されているフレーム；現再生フレーム）よりも前の複数のフレームのうち、最大輝度が第１閾値以下であるフレームが検出される。具体的には、最大輝度が第１閾値以下であるＮフレーム期間の先頭のフレームが検出される。
【０１７２】
そして、Ｓ１８０８にて、制御部１７０７が、高輝度ＨＤＲ画像の再生（通常再生）が再開されるように、画像表示装置１６１０へのデータの出力を制御する（再開処理）。その際、制御部１７０７は、Ｓ１８０７で検出されたフレームに、再生対象（出力対象）のフレームを切り替える（第１切り替え処理）。その結果、Ｓ１８０７で検出されたフレームから高輝度ＨＤＲ画像が再生される。本実施例では、ＬＤＲ画像データ、差分データ、
及び、輝度データＣ１０３が画像表示装置１６１０に出力される。そして、ＬＤＲ画像データ、差分データ、及び、輝度データＣ１０３を用いて高輝度ＨＤＲ画像が再生される。
【０１７３】
次に、Ｓ１８０９にて、制御部１７０７が、通常再生が再開されてからの経過時間が閾値時間に達したか否かを判断する。経過時間が閾値時間に達するまでＳ１８０９の処理が繰り返し行われ、経過時間が閾値時間に達すると本フローチャートが終了される。また、通常再生が再開されてから閾値時間だけ経過するまでの期間では、制御部１７０７は、再生操作を無効化する。これにより、通常再生が再開されてから閾値時間だけ経過するまでの期間では、操作受信部１７０５で再生操作が受け付けられなくなる。その結果、制御処理の頻度を低減することができ、ユーザの違和感（制御処理による表示の変化によって生じる違和感）を低減することができる。なお、閾値時間は、メーカーによって予め定められた固定時間であってもよいし、ユーザが変更可能な時間であってもよい。
【０１７４】
図２３を用いて、本実施例に係る再開処理の具体例について説明する。図２３の縦軸は高輝度ＨＤＲ画像の最大輝度［ｃｄ／ｍ２］を示し、図２３の横軸は時間を示す。ここでは、フレーム２３０１の再生時に一時停止操作が行われ、その後に再開処理が行われた例を説明する。
【０１７５】
従来の画像表示装置では、一時停止時に再生されていたフレームから、再生が再開されていた。しかしながら、高輝度なフレームやシーンから再生を再開すると、ユーザによる画像の視認が表示の眩しさによって妨げられることがある。そこで、本実施例では、最大輝度が第１閾値以下であるＮフレーム期間の先頭のフレーム２３０２から再生が再開されるように、画像表示装置１６１０へのデータの出力を制御する。それにより、高輝度なフレームやシーンからの再生の再開を抑制できる。
【０１７６】
なお、再開処理後も継続して制御処理が行われ、適切なシーンで制御処理が解除されてもよい。適切なシーンは、例えば、上述したＮフレーム期間のシーンである。制御部１７０７は、例えば、現再生フレームよりも後のフレームの最大輝度を先読みすることで、上記適切なシーンを検出する。図２３のフレーム２３０３から通常再生が再開され、フレーム２３０３からフレーム２３０２の期間ではＬＤＲ画像が再生され、フレーム２３０２のタイミングで再生画像がＬＤＲ画像から高輝度ＨＤＲ画像に切り替えられるように、出力が制御されてもよい。また、再開処理後に再生画像がＬＤＲ画像から段階的に高輝度ＨＤＲ画像に遷移するように、出力が制御されてもよい。
【０１７７】
なお、本実施例では、特定の再生操作が第１の一時停止操作である例を説明したが、これに限らない。例えば、特定の再生操作は、第２の一時停止操作、第１のスケーリング操作、第２のスケーリング操作、及び、速度変更操作の少なくともいずれかを含んでいてもよい。特定の再生操作は、第１の一時停止操作を含んでいなくてもよい。
【０１７８】
本実施例に係る第２の一時停止操作は、輝度が第１閾値よりも高く、且つ、サイズが第２閾値よりも大きい画像領域を含むフレームの再生時に行われた一時停止操作である。図２４は、第２閾値の一例を示す図である。図２４の縦軸は第２閾値［ｃｄ／ｍ２］を示し、図２４の横軸は最大輝度を有する画像領域のサイズ（画素数）を示す。図２４には、最大輝度を有する画像領域のサイズが大きいほど小さい値が、第２閾値として示されている。ＢＬ輝度低減処理では、ＢＬ輝度を第２閾値まで低減することにより、バックライト部の発光輝度が低減されてもよい。第２の一時停止操作が行われた場合に、輝度が第１閾値よりも高く、且つ、サイズが第２閾値よりも大きい画像領域を含まないフレームに、再生対象（出力対象）のフレームが切り替えられてもよい（第４切り替え処理）。再開処理で、輝度が第１閾値よりも高く、且つ、サイズが第２閾値よりも大きい画像領域を含まないフレームに、再生対象（出力対象）のフレームが切り替えられもよい（第３切り替え処理
）。
【０１７９】
なお、第３切り替え処理や第４切り替え処理による切り替え後のフレームは、実施例１で述べた第１切り替え処理による切り替え後のフレームと同様に、特に限定されない。また、第２閾値は図２４に示す値に限らない。最大輝度を有する画像領域のサイズに依存しない値が、第２閾値として使用されてもよい。第２閾値は、メーカーによって予め定められた固定値であってもよいし、ユーザが変更可能な値であってもよい。
【０１８０】
なお、第１の一時停止操作や第２の一時停止操作が行われた場合の制御処理は、特に限定されない。例えば、制御処理として、階調低減処理、ＢＬ輝度低減処理、第１切り替え処理、及び、第２切り替え処理のうちの少なくともいずれかが行われれば、高輝度な画像の再生を抑制することができる。
【０１８１】
第１のスケーリング操作は、輝度が第１閾値よりも高い画像領域を含む画像が再生されるように、対象画像データの画像サイズを変更する再生操作である。第２のスケーリング操作は、輝度が第１閾値よりも高く、且つ、サイズが第２閾値よりも大きい画像領域を含む画像が再生されるように、対象画像データの画像サイズを変更する再生操作である。画像サイズを変更するスケーリング操作は、画像を拡大する拡大操作と、画像を縮小する縮小操作を含む。また、スケーリング操作は、ＰｂｙＰ（Ｐｉｃｔｕｒｅ  Ｂｙ  Ｐｉｃｔｕｒｅ）表示やＰｉｎＰ（Ｐｉｃｔｕｒｅ  Ｉｎ  Ｐｉｃｔｕｒｅ）表示のためのユーザ操作も含む。第１のスケーリング操作や第２のスケーリング操作が行われた場合には、例えば、制御処理として、階調低減処理とＢＬ輝度低減処理の少なくとも一方が行われる。
【０１８２】
速度変更操作は、対象画像データに基づく動画像の再生速度を変更する再生操作である。速度変更操作は、再生速度を低減するスロー再生操作、再生速度を速める再生操作（早送り操作と早戻し操作）、等を含む。速度変更操作が行われた場合には、例えば、制御処理として、階調低減処理とＢＬ輝度低減処理の少なくとも一方が行われる。速度変更操作が行われた場合には、変更後の再生速度に応じた低減量で画像データの階調値やバックライト部の発光輝度が低減されてもよい。
【０１８３】
図２５に、スロー再生操作が行われた場合の輝度補正値の一例を示す。図２５の縦軸は輝度補正値を示し、図２５の横軸は再生速度を示す。輝度補正値は、ＢＬ輝度低減処理で使用される。輝度補正値は、輝度データ（最大輝度）を補正する補正値である。図２５には、輝度補正値として、最大輝度に乗算する乗算値が示されている。なお、輝度補正値は乗算値に限らない。例えば、輝度補正値として、最大輝度に加算する加算値が使用されてもよい。図２５において、再生速度１は通常の再生速度を示す。そのため、スロー再生操作は、再生速度を１よりも小さい値に低減する再生操作である。図２５の例では、１よりも小さい再生速度に、１（１００［％］）よりも小さい輝度補正値が対応付けられている。また、再生速度が遅いほど、高い輝度での表示が長時間行われる可能性が高いため、再生速度に対して、再生速度が遅いほど小さい輝度補正値が対応付けられている。
【０１８４】
スロー再生操作が行われると、変更後の再生速度に対応する輝度補正値を用いて最大輝度が低減される（ＢＬ輝度低減処理）。図２５の例では、再生速度１／２に輝度補正値５０％が対応付けられている。そのため、再生速度を１から１／２に低減するスロー再生操作が行われた場合には、最大輝度５０００［ｃｄ／ｍ２］が２５００［ｃｄ／ｍ２］に低減される。
【０１８５】
以上述べたように、本実施例によれば、特定の再生操作が行われた場合に、輝度が第１閾値よりも高い画像の再生が抑制されるように、画像表示装置へのデータの出力が制御される。それにより、種々の再生操作が行われた場合に好適な画像データをより確実に画像
表示装置に入力することができ、種々の再生操作が行われた場合に好適な画像を画像表示装置で再生することができる。
【０１８６】
なお、本実施例では、輝度データがＳＤＩのアンシラリ領域に書き込まれる例を説明したが、輝度データの伝送方法は特に限定されない。例えば、画像データのブランキング期間に輝度データが伝送されてもよい。また、本実施例では、特定の再生操作の実行に応じて制御処理が行われる例を説明したが、制御処理の実行タイミングはこれに限らない。例えば、画像出力装置が撮像装置である場合には、撮像が行われている場合、撮像に使用するレンズの交換が行われている場合、及び、撮像におけるピントの確認が行われている場合の少なくともいずれかの場合においても、制御処理が行われてよい。また、現在使用されているレンズの種類に応じて、制御処理後の対象画像データの階調値の範囲が制御されてもよい。
【０１８７】
なお、本実施例では、ＬＤＲ画像データ、差分データ、及び、輝度データが画像表示装置に出力される例を説明したが、これに限らない。例えば、ＨＤＲ画像データと輝度データが出力されてもよい。また、高輝度ＨＤＲ画像データが１ストリームで出力されてもよい。また、種々のデータの出力方法は特に限定されない。例えば、輝度データはメタデータに格納されていなくてもよい。ＬＤＲ画像データが格納されたストリーム、差分データが格納されたストリーム、及び、輝度データが格納されたストリームの３つのストリームが出力されてもよい。
【０１８８】
＜実施例４＞
以下、本発明の実施例４に係る画像出力装置及び画像出力方法について説明する。本実施例では、画像出力装置がＳＴＢ（セットトップボックス）である場合の例を説明する。実施例３では、画像出力装置がＳＤＩケーブルを用いて画像表示装置に接続されている例を説明した。本実施例では、画像出力装置がＨＤＭＩ（Ｈｉｇｈ−Ｄｅｆｉｎｉｔｉｏｎ
Ｍｕｌｔｉｍｅｄｉａ  Ｉｎｔｅｒｆａｃｅ）ケーブルを用いて画像表示装置に接続されている例を説明する。なお、画像出力装置と画像表示装置の接続方法は特に限定されない。例えば、画像出力装置は、無線で通信可能に画像表示装置に接続されてもよい。
【０１８９】
図２６は、本実施例に係る画像表示システム（画像再生システム）の一例を示す図である。本実施例に係る画像表示システムは、ＳＴＢ２６００と画像表示装置（画像再生装置）２６１０を有する。ＳＴＢ２６００は、１本のＨＤＭＩケーブルを用いて画像表示装置２６１０に接続されている。なお、画像表示装置２６１０は、ＳＴＢ２６００に設けられた表示部（再生部）であってもよい。
【０１９０】
ＳＴＢ２６００は、ＬＡＮ端子を介してネットワークから高輝度ＨＤＲ画像データを取得し、取得した高輝度ＨＤＲ画像データを、ＨＤＭＩケーブルを介して画像表示装置２６１０に出力することができる。
【０１９１】
画像表示装置２６１０は、画像表示装置２６１０に入力された画像データに基づく画像を再生（表示）することができる。画像表示装置２６１０は高輝度ＨＤＲ画像を再生することができる。画像表示装置２６１０として様々な画像表示装置を使用することができる。本実施例では、画像表示装置２６１０として、透過型の液晶表示装置が使用される。
【０１９２】
図２７は、ＳＴＢ２６００の機能構成の一例を示すブロック図である。図２７に示すように、ＳＴＢ２６００は、ＬＡＮ端子２７０１、ＨＤＲデコーダ２７０２、操作受信部２７０３、特定操作判断部２７０４、制御部２７０５、データ出力部２７０６、及び、ＨＤＭＩ出力端子２７０７を有する。データ出力部２７０６は、ＣＥＣコマンド生成部２７１１と出力データ変換部２７１２を有する。各機能部は制御バスを用いて制御部２７０５に
接続されているが、図２７では一部の制御バスが省略されている。
【０１９３】
ＬＡＮ端子２７０１は、ネットワークから高輝度ＨＤＲ画像データを取得するために使用されるインタフェースである。本実施例では、高輝度ＨＤＲ画像データとして、ＬＤＲ画像データであるメインストリームと、差分データであるサブストリームとが取得される。サブストリームには、輝度データを含むメタデータが付加されている。
【０１９４】
ＨＤＲデコーダ２７０２は、ネットワークから取得された高輝度ＨＤＲ画像データをデコードする。具体的には、ＨＤＲデコーダ２７０２は、メインストリームとサブストリームをそれぞれデコードする（デュアルデコード）。また、ＨＤＲデコーダ２７０２は、サブストリームに付加されたメタデータをさらにデコードする。それにより、ＬＤＲ画像データ、差分データ、及び、輝度データが取得される。
【０１９５】
操作受信部２７０３は、ＳＴＢ２６００に対するユーザ操作を受け付ける。ユーザ操作は、例えば、リモートコントローラ、操作ユニット、等を用いて行われる。操作受信部２７０３は、行われたユーザ操作に応じた操作信号を、特定操作判断部２７０４へ出力する。操作受信部２７０３は、再生操作を含む様々なユーザ操作を受け付ける。
【０１９６】
特定操作判断部２７０４は、操作受信部２７０３から出力された操作信号と、ＨＤＲデコーダ２７０２から出力された輝度データとに基づいて、行われたユーザ操作が特定の再生操作であるか否かを判断する。
【０１９７】
制御部２７０５は、ＳＴＢ２６００が有する各機能部の処理を制御する。例えば、制御部２７０５は、画像表示装置２６１０の処理を制御する制御データを生成する処理と、生成した制御データを画像表示装置２６１０に出力する処理とが行われるように、データ出力部２７０６の処理を制御する。再生操作が行われた場合には、行われた再生操作に応じた再生方法で対象画像データに基づく動画像が再生されるように画像表示装置２６１０による再生を制御する制御データが生成され、生成された制御データが画像表示装置２６１０に出力される。特定の再生操作が行われた場合には、輝度が第１閾値よりも高い画像の再生が抑制されるように画像表示装置２６１０による再生をさらに制御する制御データが生成される。そして、画像表示装置２６１０では、制御データに従って再生が行われる。制御データのフォーマットは特に限定されないが、本実施例では、制御データとしてＣＥＣコマンドが使用される。
【０１９８】
データ出力部２７０６は、制御部２７０５からの指示に従い、ＣＥＣコマンドを生成する。そして、データ出力部２７０６は、生成したＣＥＣコマンドと、高輝度ＨＤＲ画像データ（ＬＤＲ画像データ、差分データ、及び、輝度データ）とを、ＨＤＭＩ出力端子２７０７を介して画像表示装置２６１０に出力する。
【０１９９】
ＣＥＣコマンド生成部２７１１は、制御部２７０５からの指示に従い、ＨＤＭＩのＣＥＣコマンドを生成する。出力データ変換部２７１２は、ＬＤＲ画像データ、差分データ、及び、輝度データのデータフォーマットを、ＨＤＭＩのデータフォーマットであるＴＭＤＳへ変換し、変換後のデータを、ＨＤＭＩ出力端子２７０７を介して画像表示装置２６１０に出力する。メインストリームであるＬＤＲ画像データと、サブストリームである差分データとは、マルチストリームフォーマットで出力される。輝度データはメタデータとして出力される。さらに、出力データ変換部２７１２は、ＣＥＣコマンド生成部２７１１で生成されたＣＥＣコマンドを、ＣＥＣラインを使用して画像表示装置２６１０に出力する。
【０２００】
次に、ＳＴＢ２６００の動作について、図２８のフローチャートを用いて説明する。
図２８のフローチャートは、例えば、ＨＤＲデコーダ２７０２がネットワークから高輝度ＨＤＲ画像データ（メインストリームとサブストリーム）を取得したタイミングで開始される。
【０２０１】
まず、Ｓ２８０１にて、ＨＤＲデコーダ２７０２が、取得したメインストリームとサブストリーム（メタデータを含む）をデコードする。それにより、ＬＤＲ画像データ、差分データ、及び、輝度データが得られる。
【０２０２】
次に、Ｓ２８０２にて、データ出力部２７０６が、Ｓ２８０１で得られた高輝度ＨＤＲ画像データ（ＬＤＲ画像データ、差分データ、及び、輝度データ）を、ＨＤＭＩ出力端子２７０７を介して画像表示装置２６１０に出力する。それにより、画像表示装置２６１０において、高輝度ＨＤＲ画像が通常再生される。このとき、通常再生用のＣＥＣコマンドが画像表示装置２６１０に出力されてもよい。
【０２０３】
そして、Ｓ２８０３にて、操作受信部２７０３が再生操作を待つ。再生操作が行われた場合には、Ｓ２８０４に処理が進められる。再生操作が行われたか否かは、操作受信部２７０３からの操作信号を制御部２７０５が解析することで判断できる。
【０２０４】
Ｓ２８０４では、特定操作判断部２７０４が、Ｓ２８０３で行われた再生操作が特定の再生操作であるか否かを判断する。Ｓ２８０３で行われた再生操作が特定の再生操作である場合には、Ｓ２８０５へ処理が進められ、Ｓ２８０３で行われた再生操作が特定の再生操作でない場合には、Ｓ２８０６へ処理が進められる。
【０２０５】
Ｓ２８０５では、制御部２７０５が、Ｓ２８０３で行われた特定の再生操作に応じたＣＥＣコマンドの生成及び出力を、データ出力部２７０６に指示する。それにより、ＣＥＣコマンド生成部２７１１により、Ｓ２８０３で行われた特定の再生操作に応じたＣＥＣコマンドが生成される。そして、出力データ変換部２７１２により、Ｓ２８０１で得られた高輝度ＨＤＲ画像データと、Ｓ２８０３で行われた特定の再生操作に応じたＣＥＣコマンドとが、画像表示装置２６１０に出力される。画像表示装置２６１０は、画像表示装置２６１０に入力されたＣＥＣコマンドに従って再生を制御する。そのため、Ｓ２８０３で行われた特定の再生操作に応じて再生が制御される。
【０２０６】
特定の再生操作に応じたＣＥＣコマンドは、特定の再生操作に応じた再生方法で対象画像データに基づく動画像が再生されるように画像表示装置２６１０による再生を制御する制御データである。例えば、特定の再生操作が一時停止操作である場合、再生対象のフレームの更新を停止するＣＥＣコマンドが生成される。特定の再生操作がスケーリング操作である場合、再生対象の画像データの画像サイズを変更するＣＥＣコマンドが生成される。そして、特定の再生操作が速度変更操作である場合、再生速度を変更するＣＥＣコマンドが生成される。また、特定の再生操作に応じたＣＥＣコマンドは、輝度が第１閾値よりも高い画像の再生が抑制されるように画像表示装置１６１０による再生を制御する制御データでもある。例えば、特定の再生操作に応じたＣＥＣコマンドは、実施例１で述べた制御処理（実施例１で述べた、階調低減処理、ＢＬ輝度低減処理、第２切り替え処理、第の切り替え処理、等）の実行を指示する制御データである。
【０２０７】
Ｓ２８０６では、制御部２７０５が、Ｓ２８０３で行われた再生操作（特定の再生操作でない再生操作；非特定操作）に応じたＣＥＣコマンドの生成及び出力を、データ出力部２７０６に指示する。それにより、ＣＥＣコマンド生成部２７１１により、Ｓ２８０３で行われた非特定操作に応じたＣＥＣコマンドが生成される。そして、出力データ変換部２７１２により、Ｓ２８０１で得られた高輝度ＨＤＲ画像データと、Ｓ２８０３で行われた非特定操作に応じたＣＥＣコマンドとが、画像表示装置２６１０に出力される。その結果
、Ｓ２８０３で行われた非特定操作に応じて再生が制御される。
【０２０８】
非特定操作に応じたＣＥＣコマンドは、非特定操作に応じた再生方法で対象画像データに基づく動画像が再生されるように画像表示装置２６１０による再生を制御する制御データである。例えば、非特定操作が一時停止操作である場合、再生対象のフレームの更新を停止するＣＥＣコマンドが生成される。非特定操作がスケーリング操作である場合、再生対象の画像データの画像サイズを変更するＣＥＣコマンドが生成される。そして、非特定操作が速度変更操作である場合、再生速度を変更するＣＥＣコマンドが生成される。
【０２０９】
以上述べたように、本実施例によれば、画像出力装置が、画像表示装置に出力する制御データを、行われた再生操作に応じて制御する。そして、特定の再生操作が行われた場合に、輝度が第１閾値よりも高い画像の再生が抑制されるように画像表示装置による再生を制御する制御データが、画像表示装置に出力される。それにより、画像表示装置に所望の再生を行わせることができ、種々の再生操作が行われた場合に好適な画像を画像表示装置で再生することができる。
【０２１０】
なお、本実施例では、画像出力装置で対象画像データや輝度データの変更が行われずに、画像出力装置から制御コマンドが出力される例を説明したが、これに限らない。本実施例においても、実施例３と同様に、画像出力装置で対象画像データや輝度データの変更が行われてもよい。画像出力装置と画像表示装置の両方で対象画像データや輝度データが変更されることにより、高輝度な表示、高輝度且つ長時間の表示、等が抑制されてもよい。
【０２１１】
なお、本実施例では、ＨＤＭＩケーブルを用いて種々のデータを画像表示装置に出力する例を説明したが、これに限らない。例えば、ＤＰ（Ｄｉｓｐｌａｙ  Ｐｏｒｔ）ケーブルが使用されてもよい。ＤＰ（Ｄｉｓｐｌａｙ  Ｐｏｒｔ）ケーブルを使用する場合には、制御データとしてＡＵＸコマンドを生成し、ＡＵＸラインを使用してＡＵＸコマンドを画像表示装置に出力すればよい。また、ＬＤＲ画像データ、差分データ、及び、輝度データのデータフォーマットを、ＤＰのデータフォーマットへ変換し、変換後のデータを画像表示装置に出力すればよい。
【０２１２】
なお、本実施例では、ＬＤＲ画像データ、差分データ、及び、輝度データが画像出力装置に入力される例を説明したが、これに限らない。例えば、ＨＤＲ画像データと輝度データが入力されてもよい。また、高輝度ＨＤＲ画像データが１ストリームで入力されてもよい。また、種々のデータの入力方法（取得方法）は特に限定されない。例えば、輝度データはメタデータに格納されていなくてもよい。ＬＤＲ画像データが格納されたストリーム、差分データが格納されたストリーム、及び、輝度データが格納されたストリームの３つのストリームが入力されてもよい。
【０２１３】
＜その他の実施形態＞
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【０２１４】
１００，１２００：画像表示装置  １０４：液晶パネル  １０９：バックライト部
１１０，１７０５，２７０３：操作受信部  １１２，１２０２：再生制御部
１６００：撮像装置  １７０７，２７０５：制御部  １７１２：出力データ決定部
２６００：ＳＴＢ  ２７０６：データ出力部
【図１】
0006666022.tif 000002
【図２】
0006666022.tif 000003
【図３】
0006666022.tif 000004
【図４】
0006666022.tif 000005
【図５】
0006666022.tif 000006
【図６】
0006666022.tif 000007
【図７】
0006666022.tif 000008
【図８】
0006666022.tif 000009
【図９】
0006666022.tif 000010
【図１０】
0006666022.tif 000011
【図１１】
0006666022.tif 000012
【図１２】
0006666022.tif 000013
【図１３】
0006666022.tif 000014
【図１４】
0006666022.tif 000015
【図１５】
0006666022.tif 000016
【図１６】
0006666022.tif 000017
【図１７】
0006666022.tif 000018
【図１８】
0006666022.tif 000019
【図１９】
0006666022.tif 000020
【図２０】
0006666022.tif 000021
【図２１】
0006666022.tif 000022
【図２２】
0006666022.tif 000023
【図２３】
0006666022.tif 000024
【図２４】
0006666022.tif 000025
【図２５】
0006666022.tif 000026
【図２６】
0006666022.tif 000027
【図２７】
0006666022.tif 000028
【図２８】
0006666022.tif 000029